(57)【要約】【課題】移動通信システムにおけるマルチメディア放送／マルチキャストサービスのための制御情報伝送装置及びその方法を提供する。【解決手段】多数のサービスを有するマルチメディア放送／マルチキャストサービス（ＭＢＭＳ：Ｍｕｌｔｉｍｅｄｉａ　Ｂｒｏａｄｃａｓｔ／Ｍｕｌｔｉｃａｓｔ　Ｓｅｒｖｉｃｅ）を提供する移動通信システムで、少なくとも一つの使用者端末機（ＵＥ：Ｕｓｅｒ　Ｅｑｕｉｐｍｅｎｔ）から前記多数のサービスのうち、特定のＭＢＭＳサービスに対するサービス提供要請を受信すると、前記特定のＭＢＭＳサービスに対するサービス識別子（ＩＤ）を割当て、その後、前記サービス識別子及び前記特定のＭＢＭＳサービス関連制御情報を含む媒体接続制御（ＭＡＣ：Ｍｅｄｉｕｍ　Ａｃｃｅｓｓ　Ｃｏｎｔｒｏｌ）メッセージを前記少なくとも一つの使用者端末機へ伝送することにより、ＭＢＭＳサービス関連制御情報を共通で伝送することができる。【選択図】　図１０
2004040770.tif 000002
【特許請求の範囲】
【請求項１】
多数のサービスを有するマルチメディア放送／マルチキャストサービス（ＭＢＭＳ：Ｍｕｌｔｉｍｅｄｉａ　Ｂｒｏａｄｃａｓｔ／Ｍｕｌｔｉｃａｓｔ　Ｓｅｒｖｉｃｅ）を提供する移動通信システムで前記ＭＢＭＳ関連制御情報を伝送する方法において、
少なくとも一つの使用者端末機（ＵＥ：Ｕｓｅｒ　Ｅｑｕｉｐｍｅｎｔ）から前記多数のサービスのうち、特定のＭＢＭＳサービスに対するサービス提供要請を受信すると、前記特定のＭＢＭＳサービスに対するサービス識別子（ＩＤ）を割当てる過程と、
前記サービス識別子を割当てた後、前記サービス識別子及び前記特定のＭＢＭＳサービス関連制御情報を含む媒体接続制御（ＭＡＣ：Ｍｅｄｉｕｍ　Ａｃｃｅｓｓ　Ｃｏｎｔｒｏｌ）メッセージを前記少なくとも一つの使用者端末機へ伝送する過程と
を含むことを特徴とする方法。
【請求項２】
前記媒体接続制御メッセージは共通チャンネルを通じて伝送されることを特徴とする請求項１に記載の方法。
【請求項３】
前記共通チャンネルは順方向アクセスチャンネルであることを特徴とする請求項２に記載の方法。
【請求項４】
多数のサービスを有するマルチメディア放送／マルチキャストサービス（ＭＢＭＳ）を提供する移動通信システムでＭＢＭＳ関連制御情報を伝送する方法において、
少なくとも一つの使用者端末機（ＵＥ）から前記多数のサービスのうち、特定のＭＢＭＳサービスに対するサービス提供要請を受信すると、前記特定のＭＢＭＳサービスに対するサービス識別子（ＩＤ）を割当てる過程と、
前記サービス識別子を割当てた後、前記サービス識別子、前記特定のＭＢＭＳサービス関連制御情報を伝送するチャンネルの種類に相応するターゲットチャンネルタイプフィールド（ＴＣＴＦ：Ｔａｒｇｅｔ　Ｃｈａｎｎｅｌ　Ｔｙｐｅ　Ｆｉｅｌｄ）及び前記制御情報を含む媒体接続制御（ＭＡＣ）メッセージを前記少なくとも一つの使用者端末機へ伝送する過程と
を含むことを特徴とする方法。
【請求項５】
前記媒体接続制御メッセージは共通チャンネルを通じて伝送されることを特徴とする請求項４に記載の方法。
【請求項６】
前記サービス識別子情報はＭ−ＲＮＴＩ（ＭＢＭＳ−Ｒａｄｉｏ　ＮｅｔｗｏｒｋＴｅｍｐｏｒａｒｙ　Ｉｄｅｎｔｉｆｉｅｒ）であることを特徴とする請求項４に記載の方法。
【請求項７】
多数のサービスを有するマルチメディア放送／マルチキャストサービス（ＭＢＭＳ）を提供する移動通信システムでＭＢＭＳ関連制御情報を伝送する装置において、
少なくとも一つの使用者端末機（ＵＥ）から前記多数のサービスのうち、特定のＭＢＭＳサービスに対するサービス提供要請を受信すると、前記特定のＭＢＭＳサービスに対するサービス識別子（ＩＤ）を割当てる制御器と、
前記サービス識別子及び前記特定のＭＢＭＳサービス関連制御情報を含む媒体接続制御メッセージを生成する媒体接続制御（ＭＡＣ）メッセージ生成器と
を含むことを特徴とする装置。
【請求項８】
前記媒体接続制御メッセージ生成器は、
前記制御情報を多重化する多重化器（ＭＵＸ）と、
前記制御情報に前記サービス識別子を挿入するサービス識別子挿入器と
を含むことを特徴とする請求項７に記載の装置。
【請求項９】
前記媒体接続制御メッセージを共通チャンネルを通じて伝送する送信機をさらに含むことを特徴とする請求項７に記載の装置。
【請求項１０】
多数のサービスを有するマルチメディア放送／マルチキャストサービス（ＭＢＭＳ）を提供する移動通信システムでＭＢＭＳ関連制御情報を伝送する装置において、
少なくとも一つの使用者端末機（ＵＥ）から前記多数のサービスのうち、特定のＭＢＭＳサービスに対するサービス提供要請を受信すると、前記特定のＭＢＭＳサービスに対するサービス識別子を割当て、前記特定のＭＢＭＳサービス関連制御情報を伝送するチャンネルの種類に相応するターゲットチャンネルタイプフィールド（ＴＣＴＦ）値を決定する制御器と、
前記チャンネルの種類に相応するターゲットチャンネルタイプフィールド値、前記制御情報及び前記サービス識別子を含む媒体接続制御メッセージを生成する媒体接続制御（ＭＡＣ）メッセージ生成器と
を含むことを特徴とする装置。
【請求項１１】
前記媒体接続制御メッセージ生成器は、
前記制御情報を多重化する多重化器（ＭＵＸ）と、
前記制御情報に前記サービス識別子を挿入するサービス識別子挿入器と
を含むことを特徴とする請求項１０に記載の装置。
【請求項１２】
前記媒体接続制御メッセージを共通チャンネルを通じて伝送する送信機をさらに含むことを特徴とする請求項１０に記載の装置。
【請求項１３】
多数のサービスを有するマルチメディア放送／マルチキャストサービス（ＭＢＭＳ）を提供する移動通信システムでＭＢＭＳ関連制御情報を受信する方法において、
前記多数のサービスのうち、特定のＭＢＭＳサービスに対するサービス提供を要請した後、前記特定のＭＢＭＳサービスに対するサービス識別子（ＩＤ）を受信する過程と、
前記特定のＭＢＭＳサービスに対するサービス識別子を受信した後、共通チャンネルを通じてサービス識別子及びＭＢＭＳサービスに対する制御情報を含む媒体接続制御（ＭＡＣ）メッセージを受信する過程と、
前記媒体接続制御メッセージに含まれているサービス識別子が前記特定のＭＢＭＳサービスに対するサービス識別子と一致する場合、前記ＭＢＭＳ制御情報に相応する制御動作を行う過程と
を含むことを特徴とする方法。
【請求項１４】
前記共通チャンネルは順方向アクセスチャンネルであることを特徴とする請求項１３に記載の方法。
【請求項１５】
多数のサービスを有するマルチメディア放送／マルチキャストサービス（ＭＢＭＳ）を提供する移動通信システムでＭＢＭＳ関連制御情報を受信する方法において、
前記多数のサービスのうち、特定のＭＢＭＳサービスに対するサービス提供を要請した後、前記特定のＭＢＭＳサービスに対するサービス識別子（ＩＤ）を受信する過程と、
前記特定のＭＢＭＳサービスに対するサービス識別子を受信した後、共通チャンネルを通じてサービス識別子、ターゲットチャンネルタイプフィールド（ＴＣＴＦ）及びＭＢＭＳサービスに対する制御情報を含む媒体接続制御（ＭＡＣ）メッセージを受信する過程と、
前記媒体接続制御メッセージに含まれているサービス識別子が前記特定のＭＢＭＳサービスに対するサービス識別子と一致する場合、前記ＭＢＭＳ制御情報に相応する制御動作を行う過程と
を含むことを特徴とする方法。
【請求項１６】
前記ターゲットチャンネルタイプフィールド値は前記特定のＭＢＭＳサービス関連制御情報を伝送するチャンネルの種類に応じて決定されることを特徴とする請求項１５に記載の方法。
【請求項１７】
多数のサービスを有するマルチメディア放送／マルチキャストサービス（ＭＢＭＳ）を提供する移動通信システムでＭＢＭＳ関連制御情報を受信する装置において、
前記多数のサービスのうち、特定のＭＢＭＳサービスに対するサービス提供要請に応じて前記特定のＭＢＭＳサービスに対するサービス識別子を受信し、共通チャンネルを通じてサービス識別子及びＭＢＭＳサービスに対する制御情報を含む媒体接続制御（ＭＡＣ）メッセージを受信する受信機と、
前記媒体接続制御メッセージに含まれているサービス識別子が前記特定のＭＢＭＳサービスに対するサービス識別子と一致する場合、前記ＭＢＭＳ制御情報に相応する制御動作を行うサービス識別子判読器と
を含むことを特徴とする装置。
【請求項１８】
前記共通チャンネルは順方向アクセスチャンネルであることを特徴とする請求項１７に記載の装置。
【請求項１９】
多数のサービスを有するマルチメディア放送／マルチキャストサービス（ＭＢＭＳ）を提供する移動通信システムでＭＢＭＳ関連制御情報を受信する装置において、
前記多数のサービスのうち、特定のＭＢＭＳサービスに対するサービス提供要請に応じて前記特定のＭＢＭＳサービスに対するサービス識別子を受信し、共通チャンネルを通じてサービス識別子、ＭＢＭＳサービスに対する制御情報及び前記ＭＢＭＳ制御情報を伝送するチャンネルの種類に相応するターゲットチャンネルタイプフィールド（ＴＣＴＦ）を含む媒体接続制御（ＭＡＣ）メッセージを受信する受信機と、
前記媒体接続制御メッセージに含まれているサービス識別子が前記特定のＭＢＭＳサービスに対するサービス識別子と一致する場合、前記ＭＢＭＳ制御情報に相応する制御動作を行うサービス識別子判読器と
を含むことを特徴とする装置。
【請求項２０】
前記共通チャンネルは順方向アクセスチャンネルであることを特徴とする請求項１９に記載の装置。
【発明の詳細な説明】
【０００１】
【発明の属する技術分野】
本発明は移動通信システムに係り、特に、マルチメディア放送／マルチキャストサービス（ＭＢＭＳ：Ｍｕｌｔｉｍｅｄｉａ　Ｂｒｏａｄｃａｓｔ／Ｍｕｌｔｉｃａｓｔ　Ｓｅｒｖｉｃｅ）提供のための無線チャンネルの構成情報を共通チャンネルを通じて伝送する装置及び方法に関する。
【０００２】
【従来の技術】
通信産業の発達によって符号分割多重接続（ＣＤＭＡ：Ｃｏｄｅ　Ｄｉｖｉｓｉｏｎ　ＭｕｌｔｉｐｌｅＡｃｃｅｓｓ）移動通信システムは音声サービスのみならず、パケットデータ、サーキットデータなどのような大容量のデータを伝送するマルチメディアマルチキャストサービスを提供している。前記マルチメディアマルチキャスト通信を支援するために、一つのデータソースから多数の使用者端末機（ＵＥ：Ｕｓｅｒ　Ｅｑｕｉｐｍｅｎｔ）へサービスを提供する放送／マルチキャストサービス（Ｂｒｏａｄｃａｓｔ／Ｍｕｌｔｉｃａｓｔ　Ｓｅｒｖｉｃｅ）が導入されている。前記放送／マルチキャストサービスはメッセージを主とするサービスであるセル放送サービス（ＣＢＳ：Ｃｅｌｌ　Ｂｒｏａｄｃａｓｔ　Ｓｅｒｖｉｃｅ）と、実時間映像・音声、静止映像及び文字などのマルチメディアデータを支援するマルチメディア放送／マルチキャストサービス（ＭＢＭＳ）とに分けられる。
【０００３】
ここでは、移動通信システムで前記ＭＢＭＳを提供するためのネットワーク構造を図１に参照して説明する。前記ＭＢＭＳは多数の種類を備えることができ、多数の種類の各々を“サービス”として定義する。したがって、前記ＭＢＭＳは多数のＭＢＭＳサービスを有する。
【０００４】
図１は移動通信システムでＭＢＭＳサービスを提供するためのネットワーク構造を概略的に示した図である。図１を参照すれば、マルチキャスト／放送サービスセンター（ＢＭ−ＳＣ：Ｂｒｏａｄｃａｓｔ／Ｍｕｌｔｉｃａｓｔ−Ｓｅｒｖｉｃｅ　Ｃｅｎｔｅｒ）１１０はＭＢＭＳストリームを提供するソースであり、前記ＢＭ−ＳＣ１１０はＭＢＭＳサービスに対するストリームをスケジューリングして伝送ネットワーク（Ｎ／Ｗ）１１１へ伝送する。前記伝送ネットワーク１１１は前記ＢＭ−ＳＣ１１０とサービスパケット無線サービス支援ノード（ＳＧＳＮ：Ｓｅｒｖｉｎｇ　ＧＰＲＳ　Ｓｕｐｐｏｒｔ　Ｎｏｄｅ）１００との間に存在するネットワークであって、前記ＢＭ−ＳＣ１１０からのＭＢＭＳストリームを前記ＳＧＳＮ１００へ伝送する。ここで、前記ＳＧＳＮ１００はゲートウェイパケット無線サービス支援ノード（ＧＧＳＮ：Ｇａｔｅｗａｙ　ＧＰＲＳ　Ｓｕｐｐｏｒｔ　Ｎｏｄｅ）と外部ネットワークなどで構成することができる。ここでは、任意の時点に前記ＭＢＭＳサービスを受信しようとする多数のＵＥ、例えば、第１基地局（Ｎｏｄｅ　Ｂ１）１０２に属するＵＥ１１０４、ＵＥ２１０５及びＵＥ３１０６、第２基地局（Ｎｏｄｅ　Ｂ２）１０３に属するＵＥ４１０７、ＵＥ５１０８が存在すると仮定する。前記ＳＧＳＮ１００はＵＥのＭＢＭＳ関連サービスを制御する。すなわち、加入者の各々のＭＢＭＳ課金関連データを管理し、ＭＢＭＳデータを特定の無線ネットワーク制御器（ＲＮＣ：Ｒａｄｉｏ　Ｎｅｔｗｏｒｋ　Ｃｏｎｔｒｏｌｌｅｒ）１０１へ選択的に伝送する。さらに、前記ＳＧＳＮ１００は前記ＭＢＭＳサービスＸに対するＳＧＳＮサービスコンテキスト（ＳＥＲＶＩＣＥ　ＣＯＮＴＥＸＴ）を構成して管理し、前記ＭＢＭＳサービスＸに対するストリームを再び前記ＲＮＣ１０１へ伝送する。前記ＲＮＣ１０１は多数の基地局（Ｎｏｄｅ　Ｂ）を制御し、自分が管理しているＮｏｄｅ　Ｂのうち、ＭＢＭＳサービスを要求するＵＥが存在するＮｏｄｅ　ＢへＭＢＭＳサービスデータを伝送し、前記ＭＢＭＳサービスを提供するために設定される無線チャンネルを制御し、前記ＳＧＳＮ１００からのＭＢＭＳサービスストリームを用いて前記ＭＢＭＳサービスＸに対するＲＮＣサービスコンテキスト（ＳＥＲＶＩＣＥ　ＣＯＮＴＥＸＴ）を構成して管理する。
【０００５】
図１に示したように、一つのＮｏｄｅ　Ｂ１１０２とそのＮｏｄｅ　Ｂ１１０２に属するＵＥ１１０４、ＵＥ１１０５、ＵＥ１１０６との間にはＭＢＭＳサービスを提供するために一つの無線チャンネルのみが構成される。さらに、図１に図示していないが、ホーム位置登録器（ＨＬＲ：Ｈｏｍｅ　Ｌｏｃａｔｉｏｎ　Ｒｅｇｉｓｔｅｒ）は前記ＳＧＳＮ１００と連結されてＭＢＭＳサービスのための加入者認証を行う。
【０００６】
図２は移動通信システムでＭＢＭＳサービスを開始するための過程を示した信号流れ図である。図２を参照すれば、ＢＭ−ＳＣ１１０は提供可能なＭＢＭＳサービスに対するメニュー情報をＭＢＭＳサービス加入者であるＵＥに知らせる（ステップ２０１）。前記ＢＭ−ＳＣ１１０は前記メニュー情報を所定のサービス領域へ放送するか、ＭＢＭＳサービスを要請するＵＥのみへ伝送することができる。前記メニュー情報を通じてＢＭ−ＳＣ１１０は各ＭＢＭＳのサービスを区分するためのＭＢＭＳサービス識別子を知らせる。説明の便宜上、前記ＭＢＭＳサービス加入者をＵＥ１０４として仮定する。前記メニュー情報を受信したＵＥ１０４は前記メニュー情報から特定のＭＢＭＳサービスを選択し、前記選択したＭＢＭＳサービスに対するサービス要請（ＳＥＲＶＩＣＥ　ＪＯＩＮＩＮＧ）メッセージを前記ＢＭ−ＳＣ１１０へ送信する。ここで、ＭＢＭＳサービスの要請においては、前記メニュー情報によるＭＢＭＳサービス識別子のうち、そのＵＥが受けようとするサービス識別子を選択し、前記ＭＢＭＳサービスを要請するＵＥの情報をともに送信する。前記サービス要請は図１に示した経路、すなわち、前記ＵＥ１０４からＮｏｄｅＢ１０２、ＲＮＣ１０１、ＳＧＳＮ１００及び伝送ネットワーク１１１を通じて前記ＢＭ−ＳＣ１１０へ伝送される。前記ＵＥ１０４の特定のＭＢＭＳサービスに対するサービス要請を受信したＢＭ−ＳＣ１１０は前記サービス要請に対する応答を前記ＵＥ１０４へ送信する（ステップ２０２）。この場合も前記サービス要請時と同様に前記サービス要請に対する応答は前記ＢＭ−ＳＣ１１０、伝送ネットワーク１１１、ＳＧＳＮ１００及びＲＮＣ１０１を通じて前記ＵＥ１０４へ伝送される。ここで、前記伝送ネットワーク１１１、ＳＧＳＮ１００及びＲＮＣ１０１は前記特定のＭＢＭＳサービスを要請したＵＥ１０４を示すＵＥ識別子を貯蔵し、実際に前記特定のＭＢＭＳサービスを開始するとき、前記貯蔵したＵＥ識別子を利用する。このようにネットワーク、すなわち、ＢＭ−ＳＣ１１０、伝送ネットワーク１１１、ＳＧＳＮ１００及びＲＮＣ１０１は前記特定のＭＢＭＳサービスを受けようとするＵＥの識別子及びその数を把握する。
【０００７】
特定のＭＢＭＳサービスに対する要請及び応答が完了された後、前記ＢＭ−ＳＣ１１０は特定のＭＢＭＳサービスの近い内の開始を示すサービス案内（ＳＥＲＶＩＣＥＡＮＮＯＵＮＣＥＭＥＮＴ）メッセージを前記ＵＥ１０４へ送信する（ステップ２０３）。図２においては、特定のＭＢＭＳサービスを受けようとするＵＥをＵＥ１０４、すなわち、一つのＵＥのみが存在すると仮定したが、上述したように、サービス要請及び応答過程でネットワークの構成、すなわち、ＢＭ−ＳＣ１１０、伝送ネットワーク１１１、ＳＧＳＮ１００及びＲＮＣ１０１は多数のＵＥから特定のＭＢＭＳサービスに対するサービス要請及び応答がある場合、前記ＵＥの数及び識別子を把握しているため、前記サービス案内メッセージは前記多数のＵＥの各々へ伝えられる。さらに、前記サービス案内メッセージは前記伝送ネットワーク１１１、ＳＧＳＮ１００及びＲＮＣ１０１を通じてＵＥ１０４のみへ伝えられる。この際、ＵＭＴＳ（Ｕｎｉｖｅｒｓａｌ　Ｍｏｂｉｌｅ　Ｔｅｌｅｃｏｍｍｕｎｉｃａｔｉｏｎ　Ｓｙｓｔｅｍ）規格に定義されているページング（ｐａｇｉｎｇ）動作が利用されうる。ここで、前記ＢＭ−ＳＣ１１０がサービス案内メッセージを伝送する理由は、ネットワーク上の前記伝送ネットワーク１１１、ＳＧＳＮ１００及びＲＮＣ１０１がＭＢＭＳサービスを提供するための伝送路設定による時間的な余裕を許容し、前記ＭＢＭＳサービスを受けようとするＵＥを把握するためである。
【０００８】
前記サービス案内メッセージを受信したＵＥ１０４は前記特定のＭＢＭＳサービスを受けようとすることを確認するサービス確認（ＳＥＲＶＩＣＥ　ＣＯＮＦＩＲＭ）メッセージを前記ＢＭ−ＳＣ１１０へ送信する（ステップ２０４）。前記サービス確認メッセージも前記伝送ネットワーク１１１、ＳＧＳＮ１００及びＲＮＣ１０１を通じてＢＭ−ＳＣ１１０へ伝送されるが、この過程で前記伝送ネットワーク１１１、ＳＧＳＮ１００及びＲＮＣ１０１は前記特定のＭＢＭＳサービスが提供されるサービス領域とＵＥを確認することができ、実際では前記特定のＭＢＭＳサービスを提供するための伝送路をセットアップする。このようにネットワーク上に伝送路がセットアップされた状態で前記ＲＮＣ１０１はＵＥ１０４と前記ＭＢＭＳサービスに対するストリームを伝送するための無線チャンネル、すなわち、ＭＢＭＳ無線ベアラー（Ｒａｄｉｏ　Ｂｅａｒｅｒ）をセットアップし（ステップ２０５）、前記ＳＧＳＮ１００は前記ＲＮＣ１０１と前記ＭＢＭＳサービスに対するストリームを伝送するための伝送路、すなわち、ＭＢＭＳベアラーをセットアップする（ステップ２０６）。ここで、前記ＲＮＣ１０１は前記ＭＢＭＳサービスを要請したＵＥが存在するＮｏｄｅ　Ｂのみに無線ベアラーをセットアップし、同様に前記ＳＧＳＮ１０１は前記ＭＢＭＳサービスを要請したＵＥが存在するＲＮＣのみにＭＢＭＳベアラーをセットアップする。このようにネットワーク上に伝送路がセットアップされた状態で前記ＢＭ−ＳＣ１１０は該当時点でＭＢＭＳサービスに対するストリームを送信し、前記セットアップされた伝送路を通じて前記ＭＢＭＳサービスに対するストリームが前記ＵＥ１０４へ送信されて実際のＭＢＭＳサービスが始まる（ステップ２０７）。
【０００９】
上述したように、ＭＢＭＳサービスを提供するためには多数の制御情報が必要であり、この制御情報を該当ＵＥの各々へ伝送するためには多数のメッセージ送受信過程が必要である。したがって、ＭＢＭＳサービスの提供においては、一つの制御メッセージを通じて多数のＵＥへ制御情報、例えば、無線チャンネル構成情報のような制御情報を伝える方案が必要である。
【００１０】
【発明が解決しようとする課題】
従って、本発明の目的は、移動通信システムでＭＢＭＳサービスを受けるＵＥへ前記ＭＢＭＳサービス別に制御情報を共通で伝送する装置及び方法を提供することにある。
【００１１】
本発明の他の目的は、移動通信システムで同じＭＢＭＳサービスを受けるＵＥへ共通チャンネルを通じて無線チャンネル構成情報を伝送する装置及び方法を提供することにある。
【００１２】
本発明のまた他の目的は、移動通信システムで同じＭＢＭＳサービスを受けるＵＥへ共通制御チャンネルを通じて無線チャンネル構成情報を伝送する装置及び方法を提供することにある。
【００１３】
さらに、本発明の他の目的は、移動通信システムで同じＭＢＭＳサービスを受けるＵＥへ媒体接続制御（ＭＡＣ：Ｍｅｄｉａ　Ａｃｃｅｓｓ　Ｃｏｎｔｒｏｌ）メッセージを通じて共通制御情報を伝送する装置及び方法を提供することにある。
【００１４】
【課題を解決するための手段】
前記目的を達成するための本発明の一側面によれば、多数のサービスを有するマルチメディア放送／マルチキャストサービス（ＭＢＭＳ）を提供する移動通信システムで前記ＭＢＭＳ関連制御情報を伝送する方法は、少なくとも一つの使用者端末機（ＵＥ）から前記多数のサービスのうち、特定のＭＢＭＳサービスに対するサービス提供要請を受信すると、前記特定のＭＢＭＳサービスに対するサービス識別子（ＩＤ）を割当てる過程と、前記サービス識別子を割当てた後、前記サービス識別子及び前記特定のＭＢＭＳサービス関連制御情報を含む媒体接続制御（ＭＡＣ）メッセージを前記少なくとも一つの使用者端末機へ伝送する過程とを含むことを特徴とする。
【００１５】
前記目的を達成するための本発明の他側面によれば、多数のサービスを有するマルチメディア放送／マルチキャストサービス（ＭＢＭＳ）を提供する移動通信システムで前記ＭＢＭＳ関連制御情報を受信する方法は、前記多数のサービスのうち、特定のＭＢＭＳサービスに対するサービス提供を要請した後、前記特定のＭＢＭＳサービスに対するサービス識別子（ＩＤ）を受信する過程と、前記特定のＭＢＭＳサービスに対するサービス識別子を受信した後、共通チャンネルを通じてサービス識別子及びＭＢＭＳサービスに対する制御情報を含む媒体接続制御（ＭＡＣ）メッセージを受信する過程と、前記媒体接続制御メッセージに含まれているサービス識別子が前記特定のＭＢＭＳサービスに対するサービス識別子と一致する場合、前記ＭＢＭＳ制御情報に相応する制御動作を行う過程とを含むことを特徴とする。
【００１６】
前記目的を達成するための本発明のまた他側面によれば、多数のサービスを有するマルチメディア放送／マルチキャストサービス（ＭＢＭＳ）を提供する移動通信システムで前記ＭＢＭＳ関連制御情報を伝送する装置は、少なくとも一つの使用者端末機（ＵＥ）から前記多数のサービスのうち、特定のＭＢＭＳサービスに対するサービス提供要請を受信すると、前記特定のＭＢＭＳサービスに対するサービス識別子（ＩＤ）を割当てる制御器と、前記サービス識別子及び前記特定のＭＢＭＳサービス関連制御情報を含む媒体接続制御メッセージを生成する媒体接続制御（ＭＡＣ）メッセージ生成器とを含むことを特徴とする。
【００１７】
前記目的を達成するための本発明のさらにまた他側面によれば、多数のサービスを有するマルチメディア放送／マルチキャストサービス（ＭＢＭＳ）を提供する移動通信システムで前記ＭＢＭＳ関連制御情報を受信する装置は、前記多数のサービスのうち、特定のＭＢＭＳサービスに対するサービス提供要請に応じて前記特定のＭＢＭＳサービスに対するサービス識別子を受信し、共通チャンネルを通じてサービス識別子及びＭＢＭＳサービスに対する制御情報を含む媒体接続制御（ＭＡＣ）メッセージを受信する受信機と、前記媒体接続制御メッセージに含まれているサービス識別子が前記特定のＭＢＭＳサービスに対するサービス識別子と一致する場合、前記ＭＢＭＳ制御情報に相応する制御動作を行うサービス識別子判読器とを含むことを特徴とする。
【００１８】
【発明の実施の形態】
以下、本発明による好適な実施形態について添付図面を参照して詳細に説明する。下記説明において、本発明の要旨のみを明瞭にするために公知の機能及び構成に対する詳細な説明は省略する。
【００１９】
図３は本発明の一実施形態によるＭＢＭＳサービス提供過程を示した信号流れ図である。
【００２０】
図３の信号流れを説明する前に、移動通信システム構造は従来技術の図１に示した移動通信システムの構造と同じであると仮定する。さらに、無線ネットワーク制御器（ＲＮＣ）１０１が管理するＲＮＣ　ＳＥＲＶＩＣＥ　ＣＯＮＴＥＸＴ）及びサービスパケット無線サービス支援ノード（ＳＧＳＮ）１００が管理するＳＧＳＮ　ＳＥＲＶＩＣＥ　ＣＯＮＴＥＸＴについて説明すると、前記ＲＮＣ１０１とＳＧＳＮ１００はそれぞれＭＢＭＳサービス別にサービス関連情報を管理し、前記ＭＢＭＳサービス関連情報は“サービスコンテキスト（ＳＥＲＶＩＣＥ　ＣＯＮＴＥＸＴ）”として称される。前記ＭＢＭＳサービス関連情報には、ＭＢＭＳサービスを受けようとする使用者端末機（ＵＥ）のリスト、すなわち、ＭＢＭＳサービスを受けようとするＵＥのＵＥ識別子（ＩＤ）、前記ＵＥが位置しているサービス領域及びＭＢＭＳサービスを提供するために要求されるサービス品質（ＱｏＳ：Ｑｕａｌｉｔｙ　ｏｆ　Ｓｅｒｖｉｃｅ）情報などがある。
前記ＲＮＣ　ＳＥＲＶＩＣＥ　ＣＯＮＴＥＸＴ、ＳＧＳＮ　ＳＥＲＶＩＣＥ　ＣＯＮＴＥＸＴに含まれる情報を具体的に説明する。
第一に、前記ＲＮＣ　ＳＥＲＶＩＣＥ　ＣＯＮＴＥＸＴに含まれる情報は次の通りである。
ＲＮＣ　ＳＥＲＶＩＣＥ　ＣＯＮＴＥＸＴ＝｛ＢＭ−ＳＣサービス識別子、ＲＮＣサービス識別子、ＭＢＭＳサービスを受信する又は受信しているセルの識別子、該当セルに位置するＵＥの識別子、ＭＢＭＳサービスを提供するために必要なＱｏｓ｝
【００２１】
上述したように、一つのＲＮＣ　ＳＥＲＶＩＣＥ　ＣＯＮＴＥＸＴはサービス識別子、多数のセル識別子及び多数のＵＥ識別子情報で構成される。さらに、サービス識別子にはＢＭ−ＳＣサービス識別子とＲＮＣサービス識別子が存在する。前記ＢＭ−ＳＣサービス識別子はＢＭ−ＳＣ１１０で提供するＭＢＭＳの各々に与えた固有識別子であり、ＲＮＣサービス識別子はＲＮＣで提供するＭＢＭＳサービスの各々に与えた識別子である。ここで、前記ＲＮＣサービス識別子はＵＥ１０４とＲＮＣ１０１のみが認知し、無線チャンネルを含むＲＮＣ１０１とＵＥ１０４との伝送路、すなわち、無線ベアラーでサービスを効率的に認知するために与えられる。
第二に、前記ＳＧＳＮ　ＳＥＲＶＩＣＥ　ＣＯＮＴＥＸＴに含まれる情報は次の通りである。
ＳＧＳＮ　ＳＥＲＶＩＣＥ　ＣＯＮＴＥＸＴ＝｛ＢＭ−ＳＣサービス識別子、ＳＧＳＮサービス識別子、ＭＢＭＳサービスを受信する又は受信しているＲＮＣの識別子、ＭＢＭＳサービスを提供するために要求されるＱｏＳ｝
【００２２】
前記ＳＧＳＮサービス識別子はＳＧＳＮ１００で提供するＭＢＭＳサービスの各々に与えた識別子であり、ＵＥ１０４とＳＧＳＮ１００との間でＭＢＭＳサービスを効率的に認知するために使用される。さらに、前記ＲＮＣの識別子の代わりに他の情報が使用されうる。例えば、数個のＲＮＣを一つのサービス領域に予め設定した後、前記サービス領域に対応するサービス領域識別子をＲＮＣ識別子の代わりに使用できる。
【００２３】
さらに、前記ＲＮＣ　ＳＥＲＶＩＣＥ　ＣＯＮＴＥＸＴとＳＧＳＮ　ＳＥＲＶＩＣＥ　ＣＯＮＴＥＸＴはＭＢＭＳサービス提供過程で連続的に更新（アップデート）される。前記ＲＮＣ１０１とＳＧＳＮ１００は前記ＲＮＣ　ＳＥＲＶＩＣＥ　ＣＯＮＴＥＸＴとＳＧＳＮ　ＳＥＲＶＩＣＥ　ＣＯＮＴＥＸＴを任意のＭＢＭＳサービスに対するストリームを伝送するセル、すなわち、基地局（Ｎｏｄｅ　Ｂ）とＲＮＣを決定し、サービスを受けているＵＥの把握に使用する。ここで、図３を参照して実際のＭＢＭＳサービスの提供過程を説明する。
【００２４】
図３を参照すれば、ＵＥ１０４はＲＮＣ１０１に任意のＭＢＭＳサービスＸに対するサービス提供を要請するために第１ＭＢＭＳサービス要求（以下、“ＭＢＭＳ　ＳＥＲＶＩＣＥ　ＲＥＱＵＥＳＴ　１”と称する）メッセージを伝送する（ステップ３０１）。ここで、前記ＭＢＭＳ　ＳＥＲＶＩＣＥ　ＲＥＱＵＥＳＴ　１メッセージには前記ＵＥ１０４がサービスを受けようとするＭＢＭＳサービスを示すＢＭ−ＳＣサービス識別子と、前記ＭＢＭＳ　ＳＥＲＶＩＣＥ　ＲＥＱＵＥＳＴ　１メッセージを伝送するＵＥを示すＵＥ識別子とが含まれる。前記ＭＢＭＳ　ＳＥＲＶＩＣＥ　ＲＥＱＵＥＳＴ　１メッセージを受信したＲＮＣ１０１は構成されているＲＮＣＳＥＲＶＩＣＥ　ＣＯＮＴＥＸＴを更新し、すなわち、前記ＲＮＣ　ＳＥＲＶＩＣＥ　ＣＯＮＴＥＸＴの受信者関連情報に前記ＵＥ１０４のＵＥ識別子を追加させ、サービス領域関連情報に前記ＵＥ１０４の属するセル、すなわち、Ｎｏｄｅ　Ｂ（１０２）のセル識別子を追加させ、前記ＭＢＭＳサービスＸに対するサービス提供を要請する第２ＭＢＭＳサービス要求（以下、“ＭＢＭＳ　ＳＥＲＶＩＣＥ　ＲＥＱＵＥＳＴ　２”と称する）メッセージをＳＧＳＮ１００へ伝送する（ステップ３０２）。
【００２５】
前記ＲＮＣ　ＳＥＲＶＩＣＥ　ＣＯＮＴＥＸＴの生成及び更新は前記ＭＢＭＳ　ＳＥＲＶＩＣＥ　ＲＥＱＵＥＳＴ　１（ステップ３０１）メッセージの受信時又は第２ＭＢＭＳサービス応答（以下、“ＭＢＭＳ　ＳＥＲＶＩＣＥ　ＲＥＳＰＯＮＳＥ　２”と称する）メッセージの受信時に行われることができる。今までは前記ＲＮＣ１０１が前記ＲＮＣ　ＳＥＲＶＩＣＥ　ＣＯＮＴＥＸＴを更新する場合を説明したが、前記ＭＢＭＳサービスＸが前記ＲＮＣ１０１で現在提供しない新たなＭＢＭＳサービスである場合、前記ＲＮＣ１０１は前記ＭＢＭＳサービスＸに対するＲＮＣ　ＳＥＲＶＩＣＥ　ＣＯＮＴＥＸＴを新たに構成した後、そのＲＮＣ　ＳＥＲＶＩＣＥ　ＣＯＮＴＥＸＴに前記情報を管理する。さらに、前記第２ＭＢＭＳサービス要求メッセージには前記ＵＥ１０４がサービスを受けようとするＭＢＭＳサービスを示すＢＭ−ＳＣサービス識別子と、前記第２ＭＢＭＳサービス要求メッセージを伝送するＵＥ識別子とが含まれる。すなわち、現在ＭＢＭＳサービスを受けようとする新規ＵＥが存在する場合、既存に前記ＲＮＣ１０１に前記ＭＢＭＳサービスを受けようとするＵＥが存在したとすれば、ＭＢＭＳサービスの実行時に無線リンクに対する制御情報をともに伝送するために同じＲＮＣサービス識別子を用いて制御情報を伝送する。前記ＭＢＭＳサービスを受けようとする新規ＵＥが要請したサービスが新規のものであれば、すなわち、前記ＲＮＣ１０１で現在提供しないＭＢＭＳサービスの場合、前記新たなＭＢＭＳサービスのためのＲＮＣサービス識別子を生成して管理する。ここで、前記ＲＮＣ１０１はＲＮＣサービス識別子の割当てをＭＢＭＳサービス種類に応じて順次に生成するか、所定の関数を用いて生成することもできる。
これを具体的に説明すると、前記ＲＮＣ１０１はＵＥ１０４からＭＢＭＳ　ＳＥＲＶＩＣＥＲＥＱＵＥＳＴ　１メッセージを受信するとき、ＲＮＣ　ＳＥＲＶＩＣＥ　ＣＯＮＴＥＸＴを更新又は追加し、新たなＲＮＣサービス識別子が必要であると判断されると、ＲＮＣサービス識別子をＭＢＭＳ　ＳＥＲＶＩＣＥ　ＲＥＳＰＯＮＳＥ　２メッセージの受信時又は前記ＭＢＭＳ　ＳＥＲＶＩＣＥ　ＲＥＱＵＥＳＴ　１メッセージの受信時に前記ＲＮＣサービス識別子を生成することもできる。ここで、前記ＲＮＣ１０１がＲＮＣサービス識別子を生成することは具現上の問題なので、十分に変形が可能である。
【００２６】
前記ＳＧＳＮ１００は前記ＲＮＣ１０１から前記ＭＢＭＳ　ＳＥＲＶＩＣＥ　ＲＥＱＵＥＳＴ　２メッセージの受信により構成されているＳＧＳＮ　ＳＥＲＶＩＣＥ　ＣＯＮＴＥＸＴを更新し、すなわち、前記構成されているＳＧＳＮ　ＳＥＲＶＩＣＥ　ＣＯＮＴＥＸＴの受信者関連情報に前記ＵＥ１０４のＵＥ識別子を追加させ、サービス領域関連情報に前記ＵＥ１０４が属するＲＮＣ、すなわち、ＲＮＣ１０１の識別子を追加させ、前記ＭＢＭＳサービスＸに対するサービス提供を要請する第３ＭＢＭＳサービス要求（以下、“ＭＢＭＳ　ＳＥＲＶＩＣＥ　ＲＥＱＵＥＳＴ　３”と称する）メッセージをＢＭ−ＳＣ１１０へ伝送する（ステップ３０３）。今までは、前記ＳＧＳＮ１００が前記ＳＧＳＮ　ＳＥＲＶＩＣＥ　ＣＯＮＴＥＸＴを更新する場合を説明したが、前記ＭＢＭＳサービスＸが新たなＭＢＭＳサービスである場合、前記ＳＧＳＮ１００は前記ＭＢＭＳサービスＸに対するＳＧＳＮ　ＳＥＲＶＩＣＥ　ＣＯＮＴＥＸＴを新たに構成した後、そのＳＧＳＮ　ＳＥＲＶＩＣＥ　ＣＯＮＴＥＸＴに前記情報を管理する。さらに、前記ＭＢＭＳ　ＳＥＲＶＩＣＥ　ＲＥＱＵＥＳＴ　３メッセージにはＢＭ−ＳＣサービス識別子が含まれる。前記ＭＢＭＳ　ＳＥＲＶＩＣＥ　ＲＥＱＵＥＳＴ　３メッセージを受信したＢＭ−ＳＣ１１０は前記ＭＢＭＳ　ＳＥＲＶＩＣＥ　ＲＥＱＵＥＳＴ　３メッセージを送信したＳＧＳＮ１００を前記ＭＢＭＳサービスＸのサービス提供リストに追加させ、前記ＭＢＭＳ　ＳＥＲＶＩＣＥ　ＲＥＱＵＥＳＴ　３メッセージの正常的な受信を示す第３ＭＢＭＳサービス応答（以下、“ＭＢＭＳ　ＳＥＲＶＩＣＥ　ＲＥＳＰＯＮＳＥ　３”と称する）メッセージを前記ＳＧＳＮ１００へ送信する（ステップ３０４）。ここで、前記ＭＢＭＳ　ＳＥＲＶＩＣＥ　ＲＥＳＰＯＮＳＥ　３メッセージにはＢＭ−ＳＣサービス識別子が含まれる。
【００２７】
前記ＭＢＭＳ　ＳＥＲＶＩＣＥ　ＲＥＳＰＯＮＳＥ　３メッセージを受信したＳＧＳＮ１００は前記ＭＢＭＳサービスＸに対するサービス識別子、すなわち、ＳＧＳＮサービス識別子を前記ＳＧＳＮ　ＳＥＲＶＩＣＥ　ＣＯＮＴＥＸＴのサービス識別子関連情報に追加する形態で更新した後、前記ＭＢＭＳ　ＳＥＲＶＩＣＥ　ＲＥＱＵＥＳＴ　３メッセージの正常的な受信を示す第２ＭＢＭＳサービス応答（以下、“ＭＢＭＳ　ＳＥＲＶＩＣＥ　ＲＥＳＰＯＮＳＥ　２”と称する）メッセージを前記ＲＮＣ１０１へ送信する（ステップ３０５）。ここで、前記ＳＧＳＮ１００は前記ＭＢＭＳ　ＳＥＲＶＩＣＥ　ＲＥＱＵＥＳＴ　３メッセージを受信するにつれて前記ＳＧＳＮサービス識別子を割当てるが、これは前記ＭＢＭＳサービスＸに対応して前記ＳＧＳＮ１００で管理するサービス識別子である。前記第２ＭＢＭＳサービス応答メッセージを受信したＲＮＣ１０１はＲＮＣサービス識別子を割当て、前記割当てたＲＮＣサービス識別子を前記ＲＮＣ　ＳＥＲＶＩＣＥ　ＣＯＮＴＥＸＴのサービス識別子関連情報に追加する形態で更新した後、前記ＭＢＭＳ　ＳＥＲＶＩＣＥ　ＲＥＱＵＥＳＴ　２メッセージの正常的な受信を示す第１ＭＢＭＳサービス応答（以下、“ＭＢＭＳ　ＳＥＲＶＩＣＥ　ＲＥＳＰＯＮＳＥ　１”と称する）メッセージを前記ＵＥ１０４へ送信する（ステップ３０６）。ここで、前記ＲＮＣサービス識別子関連情報をＭＢＭＳ　ＳＥＲＶＩＣＥ　ＲＥＳＰＯＮＳＥ　１メッセージに載せてＵＥへ送信することもできる。前記ＲＮＣ１０１は前記ＭＢＭＳ　ＳＥＲＶＩＣＥ　ＲＥＳＰＯＮＳＥ　２メッセージを受信するにつれてＲＮＣサービス識別子を割当てるが、これは前記ＭＢＭＳサービスＸに対応して前記ＲＮＣ１０１で管理するサービス識別子である。ここで、前記ＭＢＭＳ　ＳＥＲＶＩＣＥ　ＲＥＳＰＯＮＳＥ　１メッセージにはＢＭ−ＳＣサービス識別子、ＳＧＳＮサービス識別子及びＲＮＣサービス識別子が含まれている。前記　ＭＢＭＳ　ＳＥＲＶＩＣＥ　ＲＥＳＰＯＮＳＥ　１メッセージを受信したＵＥ１０４は前記ＳＧＳＮサービス識別子とＲＮＣサービス識別子を貯蔵した後、待機する。
【００２８】
一方、前記ＢＭ−ＳＣ１１０は前記ＭＢＭＳサービスＸの近い内の開始を通知し、前記ＭＢＭＳサービスＸの提供を望むＵＥのリスト、すなわち、ＵＥの識別子を把握するための第３ＭＢＭＳサービス通知（以下、“ＭＢＭＳ　ＳＥＲＶＩＣＥ　ＮＯＴＩＦＹ　３”と称する）メッセージを前記ＳＧＳＮ１１０へ送信する（ステップ３０７）。ここで、前記ＭＢＭＳ　ＳＥＲＶＩＣＥ　ＮＯＴＩＦＹ　３メッセージにはＢＭ−ＳＣサービス識別子、前記ＭＢＭＳサービスＸの実際サービス開始時間及びＱｏＳ関連情報が含まれている。前記ＭＢＭＳ　ＳＥＲＶＩＣＥ　ＮＯＴＩＦＹ　３メッセージを受信したＳＧＳＮ１００は伝送ネットワーク１１１上に前記ＭＢＭＳサービスＸを提供するための無線ベアラーを設定する。さらに、前記ＳＧＳＮ１００は前記ＭＢＭＳサービスＸのためのＩｕ連結をセットアップし、ＱｏＳ関連情報及びサービス領域関連情報中のＩｕ連結関連情報を前記ＳＧＳＮ　ＳＥＲＶＩＣＥ　ＣＯＮＴＥＸＴに更新した後、ＭＢＭＳサービスＸの近い内の開始を通知し、前記ＭＢＭＳサービスＸの提供を望むＵＥのリストを把握するための第２ＭＢＭＳサービス通知（以下、“ＭＢＭＳ　ＳＥＲＶＩＣＥ　ＮＯＴＩＦＹ　２”と称する）メッセージを前記ＲＮＣ１０１へ送信する（ステップ３０８）。ここで、前記ＭＢＭＳ　ＳＥＲＶＩＣＥ　ＮＯＴＩＦＹ　２メッセージにはＢＭ−ＳＣサービス識別子、ＳＧＳＮサービス識別子、サービス開始時間及びＱｏＳ関連情報が含まれている。前記ＭＢＭＳ　ＳＥＲＶＩＣＥＮＯＴＩＦＹ　２メッセージを受信したＲＮＣ１０１は管理しているＲＮＣ　ＳＥＲＶＩＣＥ　ＣＯＮＴＥＸＴに存在するＵＥ識別子及び前記ＵＥの属するセルを確認し、前記ＵＥへ前記ＭＢＭＳサービスＸの近い内の開始を通知する第１ＭＢＭＳサービス通知（以下、“ＭＢＭＳ　ＳＥＲＶＩＣＥ　ＮＯＴＩＦＹ　１”と称する）メッセージを前記ＵＥ１０４へ送信する（ステップ３０９）。ここで、前記ＭＢＭＳ　ＳＥＲＶＩＣＥ　ＮＯＴＩＦＹ　１メッセージにはＢＭ−ＳＣサービス識別子、ＲＮＣサービス識別子、サービス開始時間及びＱｏＳ関連情報が含まれている。
【００２９】
前記ＭＢＭＳ　ＳＥＲＶＩＣＥ　ＮＯＴＩＦＹ　１メッセージを受信したＵＥ１０４は前記ＭＢＭＳサービスＸを受けるか否かを決定し、前記受信したＱｏＳ関連情報を貯蔵した後、前記ＭＢＭＳ　ＳＥＲＶＩＣＥ　ＮＯＴＩＦＹ　１メッセージの正常的な受信を示す第１ＭＢＭＳ通知応答（以下、“ＭＢＭＳ　ＮＯＴＩＦＹ　ＲＥＳＰＯＮＳＥ　１”と称する）メッセージを前記ＲＮＣ１０１へ送信する（ステップ３１０）。ここで、前記ＭＢＭＳ　ＮＯＴＩＦＹ　ＲＥＳＰＯＮＳＥ　１メッセージにはＲＮＣサービス識別子及びＵＥ識別子が含まれている。前記ＭＢＭＳ　ＮＯＴＩＦＹ　ＲＥＳＰＯＮＳＥ　１メッセージを受信したＲＮＣ１０１は前記ＭＢＭＳ　ＮＯＴＩＦＹ　ＲＥＳＰＯＮＳＥ　１メッセージを伝送したＵＥのＵＥ識別子及び前記ＵＥの属するセルのセル識別子を前記ＲＮＣ１０１が管理しているＲＮＣ　ＳＥＲＶＩＣＥ　ＣＯＮＴＥＸＴに追加する形態で更新し、前記ＭＢＭＳ　ＳＥＲＶＩＣＥ　ＮＯＴＩＦＹ　２メッセージの正常的な受信を示す第２ＭＢＭＳ通知応答（以下、“ＭＢＭＳ　ＮＯＴＩＦＹ　ＲＥＳＰＯＮＳＥ　２”と称する）メッセージを前記ＳＧＳＮ１００へ送信する（ステップ３１１）。前記ステップ３１０では前記ＲＮＣ１０１が前記ＵＥ１０４のみからＭＢＭＳ　ＮＯＴＩＦＹ　ＲＥＳＰＯＮＳＥ　１メッセージを受信する場合を仮定したが、多数のＵＥから前記ＭＢＭＳ　ＮＯＴＩＦＹ　ＲＥＳＰＯＮＳＥ　１メッセージを受信することもできる。この場合、前記多数のＵＥの各々に対するＵＥ識別子及び前記ＵＥの属するセルのセル識別子を前記ＲＮＣ　ＳＥＲＶＩＣＥ　ＣＯＮＴＥＸＴに追加する形態で更新する。
【００３０】
一方、前記ＭＢＭＳ　ＮＯＴＩＦＹ　ＲＥＳＰＯＮＳＥ　２メッセージにはＢＭ−ＳＣサービス識別子及びＵＥ識別子が含まれている。前記ＭＢＭＳ　ＮＯＴＩＦＹ　ＲＥＳＰＯＮＳＥ　２メッセージを受信したＳＧＳＮ１００は管理しているＳＧＳＮ　ＳＥＲＶＩＣＥ　ＣＯＮＴＥＸＴを前記ＭＢＭＳ　ＮＯＴＩＦＹ　ＲＥＳＰＯＮＳＥ　２メッセージに含まれているＵＥ識別子とＲＮＣ識別子を追加する形態で更新する。さらに、前記ＳＧＳＮ１００は前記ＭＢＭＳ　ＮＯＴＩＦＹ　ＲＥＳＰＯＮＳＥ　２メッセージを送信した前記ＲＮＣ１０１に前記ＭＢＭＳサービスＸに対するストリームを伝送するための伝送路、すなわち、無線接続ベアラー（ＲＡＢ：Ｒａｄｉｏ　Ａｃｃｅｓｓ　Ｂｅａｒｅｒ）を設定するためのＲＡＢ割当て要求（以下、“ＲＡＢ　ＡＳＳＩＧＮＭＥＮＴ　ＲＥＱＵＥＳＴ”と称する）メッセージを送信する（ステップ３１２）。ここで、前記ＲＡＢ　ＡＳＳＩＧＮＭＥＮＴ　ＲＥＱＵＥＳＴメッセージにはＢＭ−ＳＣサービス識別子及びＱｏＳ情報が含まれている。前記ＲＡＢ　ＡＳＳＩＧＮＭＥＮＴ　ＲＥＱＵＥＳＴメッセージを受信したＲＮＣ１０１は管理しているＲＮＣ　ＳＥＲＶＩＣＥ　ＣＯＮＴＥＸＴに識別子が存在するセルとＵＥを確認し、前記受信したＱｏＳ情報に応じて前記セル、すなわち、Ｎｏｄｅ　Ｂ（１０２）へ無線リンク設定のための準備動作を行う。この際、前記ＲＮＣサービス識別子に対する情報を伝送することにより、従来ではサービスのために各々のＵＥへ個別的に伝送した無線リンクに対する情報を一括的にＲＮＣサービス識別子を通じて伝送する。前記ＲＮＣ１０１は前記ＵＥ１０４が順方向アクセスチャンネルＣｅｌｌ＿ＦＡＣＨ（Ｆｏｒｗａｒｄ　Ａｃｃｅｓｓ　Ｃｈａｎｎｅｌ）状態にある場合、ＦＡＣＨを通じて前記制御情報を一括的に伝送する。さらに、前記ＲＮＣ１０１は前記ＵＥ１０４が専用チャンネルＣｅｌｌ＿ＤＣＨ（Ｄｅｄｉｃａｔｅｄ　Ｃｈａｎｎｅｌ）状態にある場合は従来と同じ方法で前記制御情報を伝送するか、前記ＵＥ１０４にＣｅｌｌ＿ＦＡＣＨ状態への状態遷移を要請してＦＡＣＨを通じてＭＢＭＳサービスを伝送するチャンネルに対する制御情報を伝送し、その情報を受信して実際のＭＢＭＳサービスデータを受けるチャンネルに関する無線リンクを構成する。前記ＵＥ１０４は前記ＲＮＣ１０１と無線ベアラーをセットアップする準備を行う。その後、前記ＲＮＣ１０１は前記ＭＢＭＳサービスＸに対するストリームを伝送するための前記無線リンクの設定を要求するＭＢＭＳ無線リンクセットアップ要求（以下、“ＭＢＭＳ　ＲＡＤＩＯ　ＬＩＮＫ　ＳＥＴＵＰ　ＲＥＱＵＥＳＴ”と称する）メッセージを前記Ｎｏｄｅ　Ｂ（１０２）へ送信する（ステップ３１３）。ここで、前記ＭＢＭＳ　ＲＡＤＩＯ　ＬＩＮＫ　ＳＥＴＵＰ　ＲＥＱＵＥＳＴメッセージには前記ＭＢＭＳサービスＸに対するストリームを伝送する無線リンクに適用されるチャンネル化コード情報及びスクランブリングコード（ｓｃｒａｍｂｌｉｎｇ　ｃｏｄｅ）情報が含まれている。前記ＭＢＭＳ　ＲＡＤＩＯ　ＬＩＮＫ　ＳＥＴＵＰ　ＲＥＱＵＥＳＴメッセージを受信したＮｏｄｅ　Ｂ（１０２）は前記ＭＢＭＳ　ＲＡＤＩＯ　ＬＩＮＫ　ＳＥＴＵＰ　ＲＥＱＵＥＳＴメッセージに含まれている前記チャンネル化コード情報及びスクランブリングコード情報を用いて無線リンクをセットアップした後、前記ＲＮＣ１０１へ無線リンクセットアップの実行を示すＭＢＭＳ無線リンクセットアップ応答（以下、“ＭＢＭＳ　ＲＡＤＩＯ　ＬＩＮＫ　ＳＥＴＵＰ　ＲＥＳＰＯＮＳＥ”と称する）メッセージを送信する（ステップ３１４）。
【００３１】
前記ＲＮＣ１０１は前記ＭＢＭＳ　ＲＡＤＩＯ　ＬＩＮＫ　ＳＥＴＵＰ　ＲＥＳＰＯＮＳＥメッセージを受信し、前記ＭＢＭＳ　ＲＡＤＩＯ　ＬＩＮＫ　ＳＥＴＵＰ　ＲＥＳＰＯＮＳＥメッセージを送信した前記Ｎｏｄｅ　Ｂ（１０２）内のセルに位置するＵＥ１０４に無線ベアラーの設定を要求するＭＢＭＳ無線ベアラーセットアップ（以下、“ＭＢＭＳ　ＲＡＤＩＯ　ＢＥＡＲＥＲ　ＳＥＴＵＰ”と称する）メッセージを送信する（ステップ３１５）。ここで、前記ＭＢＭＳ　ＲＡＤＩＯ　ＢＥＡＲＥＲ　ＳＥＴＵＰメッセージにはＲＮＣサービス識別子、サービス開始時間、チャンネル化コード情報及びスクランブリングコード情報が含まれている。前記ＭＢＭＳ　ＲＡＤＩＯ　ＢＥＡＲＥＲ　ＳＥＴＵＰメッセージを受信したＵＥ１０４は前記受信したＭＢＭＳ　ＲＡＤＩＯ　ＢＥＡＲＥＲ　ＳＥＴＵＰメッセージに含まれている情報を用いてＭＢＭＳ無線ベアラーを設定した後、前記ＲＮＣ１０１にＭＢＭＳ無線ベアラーセットアップの完了を示すＭＢＭＳ無線ベアラーセットアップ完了（以下、“ＭＢＭＳ　ＲＡＤＩＯ　ＢＥＡＲＥＲ　ＳＥＴＵＰ　ＣＯＭＰＬＥＴＥ”と称する）メッセージを送信する（ステップ３１６）。ここで、前記ＭＢＭＳ　ＲＡＤＩＯ　ＢＥＡＲＥＲ　ＳＥＴＵＰ　ＣＯＭＰＬＥＴＥメッセージにはＲＮＣサービス識別子及びＵＥ識別子が含まれている。前記ＭＢＭＳ　ＲＡＤＩＯ　ＢＥＡＲＥＲ　ＳＥＴＵＰ　ＣＯＭＰＬＥＴＥメッセージを受信したＲＮＣ１０１は管理しているＲＮＣ　ＳＥＲＶＩＣＥ　ＣＯＮＴＥＸＴに前記無線ベアラーセットアップ完了メッセージを送信したＵＥ１０４の識別子を追加する形態で更新した後、ＭＢＭＳサービスＸに対する伝送路構成の完了を示すＭＢＭＳＲＡＢ割当て応答（以下、“ＭＢＭＳ　ＲＡＢ　ＡＳＳＩＧＮＭＥＮＴ　ＲＥＳＰＯＮＳＥ”と称する）メッセージを前記ＳＧＳＮ１００へ送信する（ステップ３１７）。ここで、前記ＭＢＭＳ　ＲＡＢ　ＡＳＳＩＧＮＭＥＮＴ　ＲＥＳＰＯＮＳＥメッセージにはＢＭ−ＳＣサービス識別子及び多数のＵＥ識別子が含まれている。前記ＭＢＭＳ　ＲＡＢ　ＡＳＳＩＧＮＭＥＮＴ　ＲＥＳＰＯＮＳＥメッセージを受信したＳＧＳＮ１００は管理しているＳＧＳＮ　ＳＥＲＶＩＣＥ　ＣＯＮＴＥＸＴに前記ＭＢＭＳ　ＲＡＢ　ＡＳＳＩＧＮＭＥＮＴ　ＲＥＳＰＯＮＳＥメッセージに含まれているＵＥの識別子を追加する形態で更新した後、前記ＭＢＭＳサービスＸに対する受信準備動作の完了を示す第３ＭＢＭＳ通知応答（以下、“ＭＢＭＳ　ＮＯＴＩＦＹ　ＲＥＳＰＯＮＳＥ　３”と称する）メッセージをＢＭ−ＳＣ１１０へ送信する（ステップ３１８）。前記ＭＢＭＳ　ＮＯＴＩＦＹ　ＲＥＳＰＯＮＳＥ　３メッセージにはサービス識別子が含まれている。ここで、前記ＭＢＭＳ　ＮＯＴＩＦＹ　ＲＥＳＰＯＮＳＥ　３メッセージに含まれているサービス識別子はインターネットプロトコル（ＩＰ：Ｉｎｔｅｒｎｅｔ　Ｐｒｏｔｏｃｏｌ）マルチキャストアドレス（ｍｕｌｔｉｃａｓｔ　ａｄｄｒｅｓｓ）である。前記ＢＭ−ＳＣ１１０が前記ＭＢＭＳ　ＮＯＴＩＦＹ　ＲＥＳＰＯＮＳＥ３メッセージを受信するにつれて前記ＢＭ−ＳＣ１１０とＵＥ１０４との間にはＭＢＭＳサービスＸに対するストリームが提供される（ステップ３１９）。
【００３２】
前記任意のＭＢＭＳサービスＸを開始するためのメッセージ種類及び各構成部の動作を表１Ａ，１Ｂ及び表２Ａ，２Ｂに示す。説明の便宜上、前記メッセージの名称を下記の表に示したように表記したが、そのメッセージ名称は変更が可能である。
【表１Ａ】
2004040770.tif 000003
【表１Ｂ】
2004040770.tif 000004
【表２Ａ】
2004040770.tif 000005
【表２Ｂ】
2004040770.tif 000006
【００３３】
上述したメッセージのうち、ＭＢＭＳ　ＲＡＢ　ＡＳＳＩＧＮＭＥＮＴ　ＲＥＱＵＥＳＴメッセージ、ＭＢＭＳ　ＲＡＢ　ＡＳＳＩＧＮＭＥＮＴ　ＲＥＳＰＯＮＳＥメッセージ、ＭＢＭＳ　ＲＡＤＩＯ　ＬＩＮＫ　ＳＥＴＵＰ　ＲＥＱＵＥＳＴメッセージ、ＭＢＭＳ　ＲＡＤＩＯ　ＬＩＮＫ　ＳＥＴＵＰ　ＲＥＳＰＯＮＳＥメッセージ、ＭＢＭＳ　ＲＡＤＩＯ　ＢＥＡＲＥＲ　ＳＥＴＵＰメッセージ及びＭＢＭＳ　ＲＡＤＩＯ　ＢＥＡＲＥＲ　ＳＥＴＵＰ　ＣＯＭＰＬＥＴＥメッセージは新たに定義されるか、現在のＵＭＴＳ（Ｕｎｉｖｅｒｓａｌ　Ｍｏｂｉｌｅ　Ｔｅｌｅｃｏｍｍｕｎｉｃａｔｉｏｎ　Ｓｙｓｔｅｍ）標準規格で使用されるＲＡＢ　ＡＳＳＩＧＮＭＥＮＴ　ＲＥＱＵＥＳＴメッセージ、ＲＡＢ　ＡＳＳＩＧＮＭＥＮＴ　ＲＥＳＰＯＮＳＥメッセージ、ＲＡＤＩＯ　ＬＩＮＫ　ＳＥＴＵＰ　ＲＥＱＵＥＳＴメッセージ、ＲＡＤＩＯ　ＬＩＮＫ　ＳＥＴＵＰ　ＲＥＳＰＯＮＳＥメッセージ、ＲＡＤＩＯ　ＢＥＡＲＥＲ　ＳＥＴＵＰメッセージ及びＲＡＤＩＯ　ＢＥＡＲＥＲ　ＳＥＴＵＰ　ＣＯＭＰＬＥＴＥメッセージを変形した形態として定義される。但し、前記メッセージには前記ＭＢＭＳサービスのための各種情報が含まれる。
【００３４】
一方、図３に示したＭＢＭＳサービス提供過程で前記ＭＢＭＳサービスを受けるＵＥが多数である場合、前記多数のＵＥの各々にＭＢＭＳ　ＲＡＤＩＯ　ＢＥＡＲＥＲ　ＳＥＴＵＰメッセージを通じてチャンネル化コード情報及びスクランブリングコード情報などの前記ＭＢＭＳサービスストリームを受信するための無線チャンネルの構成情報が伝えられる。ここで、前記無線チャンネルの構成情報を前記多数のＵＥの各々に伝える方法には二種がある。その第一はＵＥの各々にＭＢＭＳ　ＲＡＤＩＯ　ＢＥＡＲＥＲ　ＳＥＴＵＰメッセージを伝送する方法であり、第二は一つのセルに属するＵＥに同じ一つのＭＢＭＳ　ＲＡＤＩＯ　ＢＥＡＲＥＲ　ＳＥＴＵＰメッセージを伝送する方法である。前記第一の方法は一般的なＵＭＴＳで適用する方法をそのまま適用する、すなわち、ＵＥの各々に一対一に無線チャンネルの構成情報を伝送することであり、前記第二の方法は本発明で提案する無線チャンネルの構成情報を伝送する方法である。
【００３５】
図４及び図５を参照して一つの制御メッセージを通じて多数のＵＥに無線チャンネル構成情報を伝送する方法を説明する。
【００３６】
図４は本発明の第１実施形態によるＭＢＭＳサービスのための無線チャンネル構成情報伝送を概略的に示した図である。
【００３７】
ＵＥ１４２１、ＵＥ２４２２、ＵＥ３４２３、ＵＥ４４３１及びＵＥ５４３２が任意のＭＢＭＳサービスである第１ＭＢＭＳサービスを要請し、その第１ＭＢＭＳサービスの要請に応じて図３に示したステップ３０１からステップ３１４まで、すなわち、ＭＢＭＳ無線リンクセットアップまで完了された状態にあると仮定する。さらに、前記ＵＥ１４２１、ＵＥ２４２２、ＵＥ３４２３及びＵＥ４４３１はＦＡＣＨ受信情報及びランダムアクセスチャンネル（ＲＡＣＨ：Ｒａｎｄｏｍ　Ａｃｃｅｓｓ　Ｃｈａｎｎｅｌ）情報を認知しており、前記ＵＥ１４２１、ＵＥ２４２２、ＵＥ３４２３及びＵＥ４４３１はＦＡＣＨを通じて伝送されるメッセージを受信する状態（以下、“Ｃｅｌｌ＿ＦＡＣＨ状態”と称する）に、ＵＥ５４３１はＤＣＨを設定している状態（以下、“Ｃｅｌｌ＿ＤＣＨ状態”と称する）にあると仮定する。
【００３８】
図４を参照すれば、ＲＮＣ４１０は前記ＵＥの各々に対して一つのＭＢＭＳ　ＲＡＤＩＯＢＥＡＲＥＲ　ＳＥＴＵＰメッセージを伝送し、前記ＵＥはＭＢＭＳ　ＲＡＤＩＯ　ＢＥＡＲＥＲ　ＳＥＴＵＰメッセージに対する応答として前記ＲＮＣ４１０へＭＢＭＳＲＡＤＩＯ　ＢＥＡＲＥＲ　ＳＥＴＵＰ　ＣＯＭＰＬＥＴＥメッセージを伝送する。前記ＲＮＣ４１０はＣｅｌｌ＿ＦＡＣＨ状態にあるＵＥ、すなわち、ＵＥ１４２１乃至ＵＥ４４３１には各セルにセットアップされているＦＡＣＨを通じてＭＢＭＳ　ＲＡＤＩＯ　ＢＥＡＲＥＲ　ＳＥＴＵＰメッセージを伝送するが、このときにＦＡＣＨを通じて伝送されるメッセージの構成は図４に示した通りである。すなわち、前記ＦＡＣＨは多数のＵＥが共有するチャンネルなので、ＦＡＣＨを通じて伝送されるメッセージには前記ＦＡＣＨを受信する受信ＵＥを指定すべきであるが、ＵＥ識別子情報４４０に前記ＦＡＣＨを受信するＵＥを示すＵＥ識別子が含まれる。ここで、前記ＵＥ識別子情報はＵＥが最初にシステムに接続するときにＵＥ別に割当てられるが、１６ビット又は３２ビットで構成される。その他の制御情報４５０は前記ＵＥ識別子情報４４０を除いた残り制御情報、例えば、多重化情報を示し、ペイロード（ＰＡＹＬＯＡＤ）４６０には前記ＭＢＭＳ　ＲＡＤＩＯ　ＢＥＡＲＥＲ　ＳＥＴＵＰメッセージに含まれる情報が存在する。
【００３９】
一方、前記ＲＮＣ４１０はＣｅｌｌ＿ＤＣＨ状態にあるＵＥ、すなわち、ＵＥ５４３１にはＤＣＨを通じてＭＢＭＳ　ＲＡＤＩＯ　ＢＥＡＲＥＲ　ＳＥＴＵＰメッセージを伝送する。前記ＤＣＨは特定のＵＥに専用で割当てられるチャンネルなので、前記ＤＣＨを通じて伝送されるＭＢＭＳ　ＲＡＤＩＯ　ＢＥＡＲＥＲ　ＳＥＴＵＰメッセージのメッセージフォーマットはＵＥ識別子情報を別途に必要とせず、その他の制御情報４７０と前記ペイロード４８０のみを有する。図４において、前記ＦＡＣＨは共通チャンネルとしてセル境界地域まで伝送されるため、ＦＡＣＨによるＭＢＭＳ　ＲＡＤＩＯ　ＢＥＡＲＥＲ　ＳＥＴＵＰメッセージはセル境界地域まで点線で表示し、前記ＤＣＨは専用チャンネルとして該当ＵＥ、すなわち、ＵＥ５４３２まで伝送電力制御を通じて伝送されるので、前記ＤＣＨによるＭＢＭＳ　ＲＡＤＩＯ　ＢＥＡＲＥＲ　ＳＥＴＵＰメッセージは前記ＵＥ５４３２まで実線で表示した。
【００４０】
図５は本発明の第２実施形態によるＭＢＭＳサービスのための無線チャンネル構成情報伝送を概略的に示した図である。
【００４１】
ＵＥ１５２１、ＵＥ２５２２、ＵＥ３５２３、ＵＥ４５３１及びＵＥ５５３２が任意のＭＢＭＳサービスである第１ＭＢＭＳサービスを要請し、その第１ＭＢＭＳサービスの要請に応じて図３に示したステップ３０１からステップ３１４まで、すなわち、ＭＢＭＳ無線リンクセットアップまで完了された状態にあると仮定する。さらに、前記ＵＥ１５２１、ＵＥ２５２２、ＵＥ３５２３及びＵＥ４５３１はＦＡＣＨ受信情報及びＲＡＣＨ情報を認知しており、前記ＵＥ１５２１、ＵＥ２５２２、ＵＥ３５２３及びＵＥ４５３１はＦＡＣＨを通じて伝送されるメッセージを受信するＣｅｌｌ＿ＦＡＣＨ状態に、ＵＥ５５３１はＤＣＨを設定しているＣｅｌｌ＿ＤＣＨ状態にあると仮定する。
【００４２】
図５を参照すれば、ＲＮＣ５１０は同じセルに位置しており、Ｃｅｌｌ＿ＦＡＣＨ状態にあるＵＥ１５２１、ＵＥ２５２２及びＵＥ３５２３にＦＡＣＨを用いてＭＢＭＳ　ＲＡＤＩＯ　ＢＥＡＲＥＲ　ＳＥＴＵＰメッセージを伝送する。この際、ＦＡＣＨを通じて伝送されるＭＢＭＳ　ＲＡＤＩＯ　ＢＥＡＲＥＲ　ＳＥＴＵＰメッセージの構成は図５に示した通りである。すなわち、前記ＦＡＣＨは多数のＵＥが共有するチャンネルなので、ＦＡＣＨを通じて伝送されるメッセージには前記ＭＢＭＳ　ＲＡＤＩＯ　ＢＥＡＲＥＲ　ＳＥＴＵＰメッセージがどのＭＢＭＳサービスに対するＭＢＭＳ　ＲＡＤＩＯ　ＢＥＡＲＥＲ　ＳＥＴＵＰメッセージであるかを示すＲＮＣサービス識別子情報５４０が含まれる。すなわち、ＦＡＣＨを通じて伝送される各ＵＥの識別子の代わりに同じＭＢＭＳサービスを受けようとするＵＥにＲＮＣサービス識別子情報を伝送することにより、既存に各々のＵＥへ送信した制御情報を一括的に送信して不必要な無線資源の浪費を防止する。上述したように、サービスを受けようとするＵＥがＣｅｌｌ＿ＤＣＨ状態にあれば、前記Ｃｅｌｌ＿ＤＣＨ状態のＵＥをＣｅｌｌ＿ＦＡＣＨ状態へ遷移させて前記ＭＢＭＳサービスを提供する無線チャンネルに対する制御情報を受信するようにする。ここで、前記ＲＮＣサービス識別子情報はＭＢＭＳサービス種類に応じて順次に割当てられるか、所定の関数に応じて生成されることもできる。前記ＲＮＣ５１０は前記ＭＢＭＳ　ＳＥＲＶＩＣＥ　ＲＥＱＵＥＳＴ１に応じて前記ＲＮＣサービス識別子情報５４０を設定して前記ＭＢＭＳ　ＳＥＲＶＩＣＥ　ＲＥＳＰＯＮＳＥ　１メッセージを通じて該当ＵＥに知らせる。その他の制御情報５５０は前記ＲＮＣサービス識別子情報５４０を除いた残り制御情報を示し、ペイロード（ＰＡＹＬＯＡＤ）５６０には前記ＭＢＭＳ　ＲＡＤＩＯ　ＢＥＡＲＥＲ　ＳＥＴＵＰメッセージを含む情報が存在する。さらに、前記ＲＮＣ５１０はＵＥ４５３１もＣｅｌｌ＿ＦＡＣＨ状態にあるため、該当ＦＡＣＨを用いてＭＢＭＳ　ＲＡＤＩＯ　ＢＥＡＲＥＲ　ＳＥＴＵＰメッセージを伝送し、ＵＥ５５３２はＣｅｌｌ＿ＤＣＨ状態にあるため、ＤＣＨを用いて前記ＭＢＭＳ　ＲＡＤＩＯ　ＢＥＡＲＥＲ　ＳＥＴＵＰメッセージを伝送する。
【００４３】
一方、前記ＤＣＨは特定のＵＥに専用で割当てられるチャンネルなので、前記ＤＣＨを通じて伝送されるＭＢＭＳ　ＲＡＤＩＯ　ＢＥＡＲＥＲ　ＳＥＴＵＰメッセージのメッセージフォーマットはＲＮＣ識別子情報を別途に必要とせず、その他の制御情報５７０とペイロード５８０のみを有する。図５において、前記ＦＡＣＨは共通チャンネルとしてセル境域地域まで伝送されるので、ＦＡＣＨによるＭＢＭＳ　ＲＡＤＩＯ　ＢＥＡＲＥＲ　ＳＥＴＵＰメッセージはセル境域地域まで点線で表示し、前記ＤＣＨは専用チャンネルとしてＵＥ５５３２まで伝送電力制御を通じて伝送されるので、前記ＤＣＨによるＭＢＭＳ　ＲＡＤＩＯ　ＢＥＡＲＥＲ　ＳＥＴＵＰメッセージは前記ＵＥ５５３２まで実線で表示した。
【００４４】
図６は本発明の実施形態における機能を行うためのＵＥ構造を示した図である。
【００４５】
図６を参照すれば、アンテナ６００を通じて受信された無線周波数（ＲＦ：Ｒａｄｉｏ　Ｆｒｅｑｕｅｎｃｙ）信号は受信部６１０へ伝えられる。前記受信部６１０は上位階層、例えば、無線資源制御（ＲＲＣ：Ｒａｄｉｏ　Ｒｅｓｏｕｒｃｅ　Ｃｏｎｔｒｏｌ）階層（６４０−１〜６４０−ｎ）の制御に応じて前記アンテナ６００を通じて受信される信号に適用するチャンネル化コードを認知する。さらに、前記受信部６１０は前記認知したチャンネル化コードを用いて前記アンテナ６００からの受信信号を逆拡散した後、所定のサイズにセグメント及びＣＲＣ（Ｃｙｃｌｉｃ　Ｒｅｄｕｎｄａｎｃｙ　Ｃｈｅｃｋ）演算などの過程を通じて図４及び図５に示したＭＢＭＳ　ＲＡＤＩＯ　ＢＥＡＲＥＲ　ＳＥＴＵＰメッセージとして処理してＵＥ識別子判読部６２０及び逆多重化器（ＤＥＭＵＸ）６３０に出力する。前記ＲＲＣ階層６４０−１はＵＥがＣｅｌｌ＿ＦＡＣＨ状態にある場合、前記受信部６１０がＦＡＣＨ信号を受信するように制御し、ＵＥがＣｅｌｌ＿ＤＣＨ状態にある場合は前記受信部６１０がＤＣＨ信号を受信するように制御する。すなわち、前記ＵＥがＣｅｌｌ＿ＦＡＣＨ状態にある場合、前記受信部６１０は受信処理したＭＢＭＳ　ＲＡＤＩＯ　ＢＥＡＲＥＲ　ＳＥＴＵＰメッセージをＵＥ識別子判読部６２０へ伝え、前記ＵＥがＣｅｌｌ＿ＤＣＨ状態にある場合は前記受信部６１０は受信処理したＭＢＭＳ　ＲＡＤＩＯ　ＢＥＡＲＥＲ　ＳＥＴＵＰメッセージを逆多重化器６３０へ伝える。ここで、前記ＵＥがＣｅｌｌ＿ＦＡＣＨ状態にある場合、前記ＵＥはＦＡＣＨを通じてＭＢＭＳ　ＲＡＤＩＯ　ＢＥＡＲＥＲ　ＳＥＴＵＰメッセージを受信するが、前記ＦＡＣＨは多数のＵＥが共有するチャンネルなので、前記ＦＡＣＨを通じて受信したＭＢＭＳ　ＲＡＤＩＯ　ＢＥＡＲＥＲ　ＳＥＴＵＰメッセージが前記ＵＥの自分に該当するメッセージであるかを判断するために前記受信したＭＢＭＳ　ＲＡＤＩＯ　ＢＥＡＲＥＲ　ＳＥＴＵＰメッセージを前記ＵＥ識別子判読部６２０に出力する。これとは反対に前記ＵＥがＣｅｌｌ＿ＤＣＨ状態にある場合、前記ＵＥはＤＣＨを通じてＭＢＭＳ　ＲＡＤＩＯ　ＢＥＡＲＥＲ　ＳＥＴＵＰメッセージを受信するが、前記ＤＣＨは前記ＵＥの専用チャンネルなので、前記ＤＣＨを通じて受信したＭＢＭＳ　ＲＡＤＩＯ　ＢＥＡＲＥＲ　ＳＥＴＵＰメッセージは前記ＵＥに該当するメッセージである。したがって、前記ＵＥは前記受信したＭＢＭＳ　ＲＡＤＩＯ　ＢＥＡＲＥＲ　ＳＥＴＵＰメッセージを前記逆多重化器６３０に出力する。
【００４６】
前記ＵＥ識別子判読部６２０は前記ＵＥを示すＵＥ識別子を予め認知しており、前記受信部６１０によるＭＢＭＳ　ＲＡＤＩＯ　ＢＥＡＲＥＲ　ＳＥＴＵＰメッセージのＵＥ識別子情報４４０に含まれているＵＥ識別子と前記予め認知したＵＥ識別子とを比較する。その結果、前記ＭＢＭＳ　ＲＡＤＩＯ　ＢＥＡＲＥＲ　ＳＥＴＵＰメッセージのＵＥ識別子情報４４０に含まれているＵＥ識別子と前記ＵＥの自分のＵＥ識別子が一致する場合のみ、前記ＵＥ識別子判読部６２０は前記受信したＭＢＭＳ　ＲＡＤＩＯ　ＢＥＡＲＥＲ　ＳＥＴＵＰメッセージを前記逆多重化器６３０に出力する。
【００４７】
以上の説明では、前記ＵＥ識別子判読部６２０がＵＥ識別子情報４４０を用いて受信したＭＢＭＳ　ＲＡＤＩＯ　ＢＥＡＲＥＲ　ＳＥＴＵＰメッセージが前記ＵＥの自分に該当するメッセージであるかを判断したが、これは図４で説明した本発明の第１実施形態によることである。これとは異なり、図５で説明したように本発明の第２実施形態による動作を行うこともできる。すなわち、前記ＵＥ識別子判読部６２０は前記ＵＥ識別子の代わりに前記ＵＥがサービス要求したＭＢＭＳサービスを示すＲＮＣサービス識別子を予め認知し、前記ＵＥ識別子判読部６２０は前記受信部６１０から出力されるＭＢＭＳ　ＲＡＤＩＯ　ＢＥＡＲＥＲ　ＳＥＴＵＰメッセージに含まれているＲＮＣ識別子情報５４０が前記ＵＥによりサービス要求されたＲＮＣサービス識別子と一致する場合のみ、前記ＭＢＭＳ　ＲＡＤＩＯ　ＢＥＡＲＥＲ　ＳＥＴＵＰメッセージを逆多重化器６３０へ伝える。すなわち、前記ＵＥ識別子判読部６２０はＵＥ識別子又はＵＥによりサービス要求されたＭＢＭＳサービスを示すＲＮＣサービス識別子を用いて受信したＭＢＭＳ　ＲＡＤＩＯ　ＢＥＡＲＥＲ　ＳＥＴＵＰメッセージがＵＥの自分に該当するメッセージであるかを判断する。
【００４８】
前記逆多重化器６３０は本発明の第１実施形態では前記受信部６１０又は前記ＵＥ識別子判読部６２０からＭＢＭＳ　ＲＡＤＩＯ　ＢＥＡＲＥＲ　ＳＥＴＵＰメッセージの他の制御情報、例えば、前記ＵＥがＦＡＣＨを通じて前記ＭＢＭＳ　ＲＡＤＩＯ　ＢＥＡＲＥＲ　ＳＥＴＵＰメッセージを受信した場合は図４の他の制御情報４５０を、これとは異なり、前記ＵＥがＤＣＨを通じて前記ＭＢＭＳ　ＲＡＤＩＯ　ＢＥＡＲＥＲ　ＳＥＴＵＰメッセージを受信した場合は図４の他の制御情報４７０を用いて前記ＭＢＭＳ　ＲＡＤＩＯ　ＢＥＡＲＥＲ　ＳＥＴＵＰメッセージのペイロード４６０又はペイロード４８０を該当の上位階層へ伝えて前記ＭＢＭＳ　ＲＡＤＩＯＢＥＡＲＥＲ　ＳＥＴＵＰメッセージを処理する。一方、前記逆多重化器６３０は本発明の第２実施形態では前記受信部６１０又は前記ＵＥ識別子判読部６２０からＭＢＭＳ　ＲＡＤＩＯ　ＢＥＡＲＥＲ　ＳＥＴＵＰメッセージの他の制御情報、例えば、前記ＵＥがＦＡＣＨを通じて前記ＭＢＭＳ　ＲＡＤＩＯ　ＢＥＡＲＥＲ　ＳＥＴＵＰメッセージを受信した場合は図５の他の制御情報５５０を、これとは異なり、前記ＵＥがＤＣＨを通じて前記ＭＢＭＳ　ＲＡＤＩＯ　ＢＥＡＲＥＲ　ＳＥＴＵＰメッセージを受信した場合は図５の他の制御情報５７０を用いて前記ＭＢＭＳ　ＲＡＤＩＯ　ＢＥＡＲＥＲ　ＳＥＴＵＰメッセージのペイロード５６０又はペイロード５８０を該当上位階層へ伝えて前記ＭＢＭＳ　ＲＡＤＩＯ　ＢＥＡＲＥＲ　ＳＥＴＵＰメッセージを処理する。
【００４９】
図７は図６のＵＥ動作過程を示したフローチャートである。
図７を参照すれば、ステップ７０１でメニュー情報を受信したＵＥはステップ７０２へ進行する。ステップ７０２で前記ＵＥは特定のＭＢＭＳサービス受信を望む場合、ステップ７０３へ進行する。ステップ７０３で前記ＵＥはＲＮＣへＭＢＭＳ　ＳＥＲＶＩＣＥ　ＲＥＱＵＥＳＴ　１メッセージを送信する。ここで、前記ＭＢＭＳ　ＳＥＲＶＩＣＥ　ＲＥＱＵＥＳＴ　１メッセージには受信を望むＭＢＭＳサービスを示すＢＭ−ＳＣサービス識別子が含まれる。前記ＢＭ−ＳＣサービス識別子は、上述したように、ＢＭ−ＳＣから各ＭＢＭＳサービスを区分するために割当てられた識別子である。ステップ７０４で前記ＵＥはその状態に応じて適宜なチャンネルを監視する。すなわち、前記ＵＥがＣｅｌｌ＿ＦＡＣＨ状態にある場合はＦＡＣＨを、Ｃｅｌｌ＿ＤＣＨ状態にある場合はＤＣＨを監視して前記監視チャンネルを通じて前記ＲＮＣからＭＢＭＳ　ＳＥＲＶＩＣＥ　ＲＥＳＰＯＮＳＥ　１メッセージが受信されると、前記ＭＢＭＳ　ＳＥＲＶＩＣＥ　ＲＥＳＰＯＮＳＥ　１メッセージに含まれているＲＮＣサービス識別子をＵＥ識別子判読部６２０へ伝送し、ステップ７０５へ進行する。すなわち、前記ＵＥはＲＮＣサービス識別子に応じてＭＢＭＳサービスを受けるチャンネルを構成する。その後、前記ＵＥはその状態に応じて適宜なチャンネルを監視し、ステップ７０５で前記ＲＮＣからＭＢＭＳ　ＳＥＲＶＩＣＥ　ＮＯＴＩＦＹ　１メッセージを受信すると、ステップ７０６へ進行する。ステップ７０６で前記ＵＥは前記受信したＭＢＭＳ　ＳＥＲＶＩＣＥ　ＮＯＴＩＦＹ　１メッセージに含まれているサービス識別子を検出して前記サービス識別子に該当するＭＢＭＳサービスを受けるかを決定した後、ステップ７０７へ進行する。ここで、前記ＭＢＭＳ　ＳＥＲＶＩＣＥ　ＮＯＴＩＦＹ　１メッセージにはＢＭ−ＳＣサービス識別子及びＲＮＣサービス識別子が含まれる。ステップ７０７で前記ＵＥは前記サービス識別子に該当する特定のＭＢＭＳサービスの提供を決定すると、ＭＢＭＳ　ＳＥＲＶＩＣＥ　ＮＯＴＩＦＹ　ＲＥＳＰＯＮＳＥメッセージを前記ＲＮＣへ送信した後、ステップ７０８へ進行する。ステップ７０８で前記ＵＥはその状態に応じて適宜なチャンネルを監視して前記ＲＮＣからＭＢＭＳ　ＲＡＤＩＯ　ＢＥＡＲＥＲ　ＳＥＴＵＰメッセージを受信すると、前記受信したＭＢＭＳ　ＲＡＤＩＯ　ＢＥＡＲＥＲ　ＳＥＴＵＰメッセージに含まれている無線チャンネル構成情報に応じて前記特定のＭＢＭＳサービスに対するデータを受信するための無線ベアラーをセットアップし、前記ＵＥは前記受信したＭＢＭＳ　ＲＡＤＩＯ　ＢＥＡＲＥＲ　ＳＥＴＵＰメッセージに含まれているサービス開始時間を貯蔵して前記サービス開始時間に合わせて前記ＭＢＭＳデータを受信するように前記受信部６１０を制御する。ここで、前記ＵＥがＣｅｌｌ＿ＦＡＣＨ状態にある場合は前記ＭＢＭＳ　ＲＡＤＩＯ　ＢＥＡＲＥＲ　ＳＥＴＵＰメッセージに識別子としてＲＮＣサービス識別子が挿入され、ＵＥ識別子判読部６２０はステップ７０４からのＲＮＣサービス識別子を用いて前記受信したＭＢＭＳ　ＲＡＤＩＯ　ＢＥＡＲＥＲ　ＳＥＴＵＰメッセージがＵＥの自分に該当するメッセージであるかを判断する。その結果、前記受信したＭＢＭＳＲＡＤＩＯ　ＢＥＡＲＥＲ　ＳＥＴＵＰメッセージが前記ＵＥの自分に該当するメッセージである場合、前記ＵＥは上述したように無線ベアラーをセットアップし、前記無線ベアラーセットアップが完了されると、前記ＵＥはステップ７０９へ進行する。ステップ７０９で前記ＵＥは前記無線ベアラーセットアップの完了によりＭＢＭＳ　ＲＡＤＩＯＢＥＡＲＥＲ　ＳＥＴＵＰ　ＣＯＭＰＬＥＴＥメッセージを前記ＲＮＣへ送信する。その後、ステップ７１０で前記ＵＥは前記貯蔵したサービス開始時間に前記ＭＢＭＳデータの受信を前記無線ベアラーを通じて開始する。
【００５０】
図７では、前記ＵＥが本発明の第２実施形態に相応するようにＲＮＣ識別子情報を用いてＭＢＭＳサービスのための無線ベアラーセットアップを行う場合を説明したが、本発明の第１実施形態のようにＵＥ識別子情報を用いてＭＢＭＳサービスのための無線ベアラーセットアップを行うこともできる。
【００５１】
図８は本発明の実施形態における機能を行うためのＵＴＲＡＮ（Ｕｎｉｖｅｒｓａｌ　Ｔｅｒｒｅｓｔｒｉａｌ　Ｒａｄｉｏ　Ａｃｃｅｓｓ　Ｎｅｔｗｏｒｋ）構造を示した図である。ここで、前記ＵＴＲＡＮはＮｏｄｅ　ＢとＲＮＣを総称する用語である。
【００５２】
図８を参照すれば、ＭＢＭＳ　ＳＥＲＶＩＣＥ　ＲＥＳＰＯＮＳＥ　２メッセージを受信したＲＮＣは該当ＭＢＭＳサービスに対するＲＮＣサービス識別子を割当てた後、前記割当てＲＮＣサービス識別子をＵＥ識別子挿入部８２０に伝える。上位階層（ＲＲＣ）８４０−１，…，８４０−ｎは伝送するデータが存在する場合、前記伝送データを多重化器（ＭＵＸ）８３０へ伝える。ここで、図示していないが、前記上位階層８４０−１，…，８４０−ｎと前記多重化器８３０との間には前記上位階層８４０−１，…，８４０−ｎからの出力データを所定のサイズにセグメントし、そのセグメントデータに一連番号を与えるなど、データ処理のための別途の要素を構成することもできる。前記多重化器８３０は前記上位階層８４０−１，…，８４０−ｎからの出力データを多重化情報と多重化して前記多重化信号がＤＣＨを通じて伝送される場合は送信部８１０へ、前記多重化信号がＦＡＣＨを通じて伝送される場合はＵＥ識別子挿入部８２０へ伝える。前記ＵＥ識別子挿入部８２０は前記多重化器８３０からの信号に該当識別子を挿入した後、前記Ｎｏｄｅ　Ｂの送信部８１０に出力する。ここで、前記ＵＥ識別子挿入部８２０は前記多重化器８３０からの出力信号にＲＮＣサービス識別子とＵＥ識別子のうち、どの識別子を挿入するかを前記多重化情報又は前記上位階層８４０−１，…，８４０−ｎの制御に応じて決定する。例えば、前記多重化情報が０又は１である場合はＲＮＣサービス識別子を挿入し、その他の場合はＵＥ識別子を挿入するように予め設定することができる。さらに、前記ＲＮＣサービス識別子の挿入を要するデータがＵＥ識別子挿入部８２０へ伝えられると、前記上位階層８４０−１，…，８４０−ｎの制御に応じて前記ＲＮＣサービス識別子を挿入する。前記ＵＥ識別子挿入部８２０又は前記多重化器８３０からの出力データは前記送信部８１０で無線周波数（ＲＦ）信号に変換されてアンテナ８００を通じて送信される。
【００５３】
図９は図８のＵＴＲＡＮ動作過程を示したフローチャートである。
【００５４】
図９を参照すれば、ステップ９０１でＲＮＣはＭＢＭＳ　ＳＥＲＶＩＣＥ　ＲＥＱＵＥＳＴ　１メッセージを受信すると、ステップ９０２へ進行する。ステップ９０２で前記ＲＮＣは前記ＭＢＭＳ　ＳＥＲＶＩＣＥ　ＲＥＱＵＥＳＴ　１メッセージに含まれているＢＭ−ＳＣサービス識別子に該当するＲＮＣ　ＳＥＲＶＩＣＥ　ＣＯＮＴＥＸＴが存在するかを検査する。その検査結果、前記ＢＭ−ＳＣサービス識別子に該当するＲＮＣ　ＳＥＲＶＩＣＥ　ＣＯＮＴＥＸＴが存在しない場合、前記ＲＮＣはステップ９０３へ進行する。ステップ９０３で前記ＲＮＣは前記ＢＭ−ＳＣサービス識別子に該当する新たなＲＮＣ　ＳＥＲＶＩＣＥ　ＣＯＮＴＥＸＴを生成し、ステップ９０４へ進行する。ステップ９０２で前記ＢＭ−ＳＣサービス識別子に該当するＲＮＣ　ＳＥＲＶＩＣＥ　ＣＯＮＴＥＸＴが既に存在する場合、前記ＲＮＣはステップ９０４へ進行する。ステップ９０４で前記ＲＮＣは前記生成されているＲＮＣ　ＳＥＲＶＩＣＥ　ＣＯＮＴＥＸＴに前記ＭＢＭＳ　ＳＥＲＶＩＣＥ　ＲＥＱＵＥＳＴ　１メッセージを伝送したＵＥを示すＵＥ識別子と、前記ＵＥが位置しているセルを示すセル識別子とを追加して更新した後、ステップ９０５へ進行する。
【００５５】
ステップ９０５で前記ＲＮＣは前記ＳＧＳＮへ前記ＵＥ識別子を含むＭＢＭＳ　ＳＥＲＶＩＣＥ　ＲＥＱＵＥＳＴ　２メッセージを送信した後、ステップ９０６へ進行する。前記ＳＧＳＮは前記ＭＢＭＳ　ＳＥＲＶＩＣＥ　ＲＥＱＵＥＳＴ　２メッセージを用いてＭＢＭＳサービスを受けようとするＵＥと前記ＵＥを管理するＲＮＣとを把握することができる。ステップ９０６で前記ＲＮＣは前記ＳＧＳＮから前記ＭＢＭＳ　ＳＥＲＶＩＣＥ　ＲＥＱＵＥＳＴ　２メッセージに相応するＭＢＭＳ　ＳＥＲＶＩＣＥ　ＲＥＳＰＯＮＳＥ　２メッセージを受信し、ステップ９０７へ進行する。ステップ９０７で前記ＲＮＣは前記ＭＢＭＳ　ＳＥＲＶＩＣＥ　ＲＥＳＰＯＮＳＥ　２メッセージを受信すると、ＲＮＣサービス識別子を決定し、その決定ＲＮＣサービス識別子をＵＥ識別子挿入部８２０へ伝送し、ステップ９０８へ進行する。ここで、前記ＲＮＣサービス識別子は他のＭＢＭＳサービスに割当てられない識別子中の一つとして決定される。ステップ９０２で説明したように、前記ＲＮＣ　ＳＥＲＶＩＣＥ　ＣＯＮＴＥＸＴが既に存在する場合はＲＮＣサービス識別子も既に割当てられたので、この場合はＲＮＣサービス識別子を再び割当てる必要がない。
【００５６】
ステップ９０８で前記ＲＮＣはＲＮＣサービス識別子が含まれているＭＢＭＳ　ＳＥＲＶＩＣＥ　ＲＥＳＰＯＮＳＥ　１メッセージを前記ＵＥへ伝送し、ステップ９０９へ進行する。ステップ９０９で前記ＲＮＣは前記ＳＧＳＮからＭＢＭＳ　ＳＥＲＶＩＣＥ　ＮＯＴＩＦＹ　２メッセージを受信し、ステップ９１０へ進行する。ステップ９１０で前記ＵＥは前記受信したＭＢＭＳ　ＳＥＲＶＩＣＥ　ＮＯＴＩＦＹ　２メッセージの受信により該当ＲＮＣ　ＳＥＲＶＩＣＥ　ＣＯＮＴＥＸＴに登録されているＵＥ識別子に該当するＵＥへＭＢＭＳ　ＳＥＲＶＩＣＥ　ＮＯＴＩＦＹ　１メッセージを送信し、ステップ９１１へ進行する。ステップ９１１で前記ＲＮＣは前記該当ＵＥからＭＢＭＳ　ＳＥＲＶＩＣＥ　ＮＯＴＩＦＹ　ＲＥＳＰＯＮＳＥ　１メッセージを受信し、ステップ９１２へ進行する。ステップ９１２で前記ＲＮＣは前記ＭＢＭＳ　ＳＥＲＶＩＣＥ　ＮＯＴＩＦＹ　ＲＥＳＰＯＮＳＥ　１メッセージを送信したＵＥに対するＵＥ識別子と、前記ＵＥの属するセルの識別子とを前記ＲＮＣ　ＳＥＲＶＩＣＥ　ＣＯＮＴＥＸＴに追加して更新した後、ステップ９１３へ進行する。ステップ９１３で前記ＲＮＣは前記ＳＧＳＮへＭＢＭＳ　ＳＥＲＶＩＣＥ　ＮＯＴＩＦＹ　ＲＥＳＰＯＮＳＥ　２メッセージを送信し、ステップ９１４へ進行する。ステップ９１４で前記ＲＮＣは前記ＳＧＳＮからＭＢＭＳ　ＲＡＢ　ＡＳＳＩＧＮＭＥＮＴ　ＲＥＱＵＥＳＴメッセージを受信した後、ステップ９１５へ進行する。
【００５７】
ステップ９１５で前記ＲＮＣは前記ＭＢＭＳ　ＲＡＢ　ＡＳＳＩＧＮＭＥＮＴ　ＲＥＱＵＥＳＴメッセージに含まれているＱｏＳ情報に基づいて無線チャンネルセットアップを準備した後、ステップ９１６へ進行する。すなわち、前記ＲＮＣは前記ＲＮＣ　ＳＥＲＶＩＣＥ　ＣＯＮＴＥＸＴに登録されているセルを管理するＮｏｄｅ　ＢへＭＢＭＳ　ＲＡＤＩＯ　ＬＩＮＫ　ＳＥＴＵＰ　ＲＥＱＵＥＳＴメッセージを送信し、ステップ９１６へ進行する。ここで、前記ＭＢＭＳ　ＲＡＤＩＯ　ＬＩＮＫ　ＳＥＴＵＰ　ＲＥＱＵＥＳＴメッセージにはＭＢＭＳデータが伝送される無線チャンネルに関する無線チャンネル構成情報が含まれ、前記Ｎｏｄｅ　Ｂは前記無線チャンネル構成情報に基づいて前記送信部８１０を制御する。前記送信部８１０の制御が完了されると、前記Ｎｏｄｅ　ＢはＭＢＭＳ　ＲＡＤＩＯ　ＬＩＮＫ　ＳＥＴＵＰ　ＲＥＳＰＯＮＳＥメッセージを前記ＲＮＣへ伝送する。ステップ９１６で前記Ｎｏｄｅ　Ｂから前記ＭＢＭＳ　ＲＡＤＩＯ　ＬＩＮＫ　ＳＥＴＵＰ　ＲＥＳＰＯＮＳＥメッセージを受信した前記ＲＮＣはステップ９１７へ進行して該当ＵＥにＭＢＭＳ　ＲＡＤＩＯ　ＢＥＡＲＥＲ　ＳＥＴＵＰメッセージを送信し、ステップ９１９へ進行する。ここで、前記該当ＵＥのうち、Ｃｅｌｌ＿ＤＣＨ状態にあるＵＥに対して前記ＲＮＣはステップ９１８へ進行してＭＢＭＳ　ＲＡＤＩＯ　ＢＥＡＲＥＲ　ＳＥＴＵＰメッセージをＤＣＨを通じて伝送した後、ステップ９１９へ進行し、前記該当ＵＥのうち、Ｃｅｌｌ＿ＦＡＣＨ状態にあるＵＥに対して前記ＲＮＣはステップ９１７で前記ＦＡＣＨを通じてＭＢＭＳ　ＲＡＤＩＯ　ＢＥＡＲＥＲ　ＳＥＴＵＰメッセージを伝送した後、ステップ９１９へ進行する。ステップ９１９で前記ＲＮＣは該当ＵＥからＭＢＭＳ　ＲＡＤＩＯ　ＢＥＡＲＥＲ　ＳＥＴＵＰ　ＣＯＭＰＬＥＴＥメッセージを受信し、ステップ９２０へ進行する。ステップ９２０で前記ＲＮＣは前記ＭＢＭＳデータ伝送のための無線チャンネルセットアップの完了をＭＢＭＳ　ＲＡＢ　ＡＳＳＩＧＮＭＥＮＴ　ＲＥＳＰＯＮＳＥメッセージを用いてＳＧＳＮに通告し、ステップ９２１へ進行する。ステップ９２１で前記ＲＮＣは前記セットアップされている無線チャンネルを通じてＭＢＭＳデータ、すなわち、ＭＢＭＳストリームを伝送する。
【００５８】
次に、前記ＭＢＭＳ　ＲＡＤＩＯ　ＢＥＡＲＥＲ　ＳＥＴＵＰメッセージを共通制御チャンネル（ＣＣＣＨ）を通じて伝送する本発明の第３実施形態を説明する。
【００５９】
図１０は本発明の第３実施形態によるＣＣＣＨを通じたＭＢＭＳサービスのための無線チャンネル構成情報伝送を概略的に示した図である。
【００６０】
図１０を説明する前に図５で説明した同じ状況、すなわち、ＵＥ１５２１、ＵＥ２５２２、ＵＥ３５２３、ＵＥ４５３１及びＵＥ５５３２が任意のＭＢＭＳサービスである第１ＭＢＭＳサービスを要請し、その第１ＭＢＭＳサービス要請に応じて図３のステップ３０１からステップ３１４まで、すなわち、ＭＢＭＳ無線リンクセットアップまで完了された状態にあると仮定する。さらに、前記ＵＥ１５２１、ＵＥ２５２２、ＵＥ３５２３及びＵＥ４５３１はＦＡＣＨ情報及びＲＡＣＨ情報を認知しており、前記ＵＥ１５２１、ＵＥ２５２２、ＵＥ３５２３及びＵＥ４５３１はＦＡＣＨを通じて伝送されるメッセージを受信するＣｅｌｌ＿ＦＡＣＨ状態に、ＵＥ５５３１はＤＣＨを設定しているＣｅｌｌ＿ＤＣＨ状態にあると仮定する。
【００６１】
図１０を参照すれば、ＲＮＣ５１０は同じセルに位置しており、Ｃｅｌｌ＿ＦＡＣＨ状態にあるＵＥ１５２１、ＵＥ２５２２及びＵＥ３５２３にＦＡＣＨ及びＣＣＣＨを用いてＭＢＭＳ　ＲＡＤＩＯ　ＢＥＡＲＥＲ　ＳＥＴＵＰメッセージを伝送する。この際、ＦＡＣＨ及びＣＣＣＨを通じて伝送されるＭＢＭＳ　ＲＡＤＩＯ　ＢＥＡＲＥＲ　ＳＥＴＵＰメッセージのフォーマットは図１０に示した通りである。ここで、前記ＣＣＣＨを通じて伝送されるＭＢＭＳ　ＲＡＤＩＯ　ＢＥＡＲＥＲ　ＳＥＴＵＰメッセージのフォーマットはＵＥの各々を区別するためのＵＥ識別子を含まず、ペイロード１０６０にはＵＥの各々を識別できるＵＥ識別子が含まれる。したがって、Ｃｅｌｌ＿ＦＡＣＨ状態にあるＵＥは前記ＣＣＣＨを通じてＭＢＭＳ　ＲＡＤＩＯ　ＢＥＡＲＥＲ　ＳＥＴＵＰメッセージを受信し、前記ＵＥの各々はＣＣＣＨを通じて受信したＭＢＭＳ　ＲＡＤＩＯ　ＢＥＡＲＥＲ　ＳＥＴＵＰメッセージを直接にＲＲＣ階層へ伝送する。前記ＲＲＣ階層は前記ＭＢＭＳ　ＲＡＤＩＯ　ＢＥＡＲＥＲ　ＳＥＴＵＰメッセージがＵＥの自分のメッセージであるかを判断する。一方、本発明の第３実施形態では前記ＣＣＣＨを通じてＭＢＭＳ　ＲＡＤＩＯ　ＢＥＡＲＥＲ　ＳＥＴＵＰメッセージなどのような共通制御情報を多数のＵＥに伝送する。前記共通制御情報はＵＥ識別子としてＭ−ＲＮＴＩ（ＭＢＭＳ−Ｒａｄｉｏ　Ｎｅｔｗｏｒｋ　Ｔｅｍｐｏｒａｒｙ　Ｉｄｅｎｔｉｆｉｅｒ）を使用する。
【００６２】
図１０を参照すれば、セル２５３０にはＣｅｌｌ＿ＦＡＣＨ状態のＵＥ４５３１及びＣｅｌｌ＿ＤＣＨ状態のＵＥ５５３２が存在し、ＣＣＣＨとＦＡＣＨ５３９を通じてＵＥ５３１に対する制御メッセージが伝送され、ＤＣＨ５３８を通じてＵＥ５５３２に対する制御メッセージが伝送される。さらに、Ｃｅｌｌ＿ＦＡＣＨ状態のＵＥ４５３１はＦＡＣＨを通じて受信されるすべてのトランスポートブロック（ＴＢ：Ｔｒａｎｓｐｏｒｔ　Ｂｌｏｃｋ）を処理してＭＡＣ階層へ伝え、前記ＭＡＣ階層は前記ＴＢのヘッダー部分のターゲットチャンネルタイプフィールド（ＴＣＴＦ：Ｔａｒｇｅｔ　Ｃｈａｎｎｅｌ　Ｔｙｐｅ　Ｆｉｅｌｄ）１０５０を用いて前記受信したＴＢをＵＥ識別子判読部６２０又はＲＲＣと連結されている無線リンク制御（ＲＬＣ）階層へ伝えるかを判断する。ここで、前記ＴＣＴＦ１０５０はＦＡＣＨを通じて伝送されるすべてのＴＢに付加されるフィールドであり、該当ＴＢのチャンネルタイプを示す情報を含む。例えば、前記ＴＣＴＦ１０５０が“１１”でコーディングされる場合、前記ＴＢは専用トラフィックチャンネル（ＤＴＣＨ：Ｄｅｄｉｃａｔｅｄ　Ｔｒａｆｆｉｃ　Ｃｈａｎｎｅｌ）又は専用制御チャンネル（ＤＣＣＨ：Ｄｅｄｉｃａｔｅｄ　Ｃｏｎｔｒｏｌ　Ｃｈａｎｎｅｌ）に属する。前記ＴＣＴＦ１０５０に連続するフィールド、すなわち、ペイロード１０６０にはＵＥ識別子情報と多重化情報が含まれる。したがって、本発明の第１実施形態及び第２実施形態の他の制御情報４７０，５７０の前部分には実際では“１１”でコーディングされたＴＣＴＦフィールドが存在するが、図示及び説明は省略する。
【００６３】
一方、前記ＴＣＴＦ１０５０が“０１００００００”でコーディングされていると、受信したＴＢはＣＣＣＨを通じて伝送されたデータを示す。したがって、受信側のＭＡＣ階層は該当ＴＢをＲＲＣと連結されているＲＬＣ階層へ伝える。前記ＲＲＣ階層はＲＬＣ階層から前記ＣＣＣＨを通じて伝送されたＴＢのペイロード１０６０フィールドに含まれているＵＥ識別子情報を解釈して前記ＴＢがＵＥ自分のＴＢであるかを判断する。図１１を参照してＵＭＴＳ通信システムのＵＥとＵＴＲＡＮとの間に構成されるプロトコルスタック（Ｐｒｏｔｏｃｏｌ　ｓｔａｃｋ）を説明する。
【００６４】
図１１は本発明の実施形態における機能を行うＵＭＴＳ通信システムのプロトコルスタックを概略的に示した図である。
【００６５】
図１１を参照すれば、送信側１５００がＵＴＲＡＮ、受信側１５５０がＵＥである場合（すなわち、順方向通信の場合）、前記プロトコル構造は順方向通信及び逆方向通信の両方に適用されることができる。前記ＵＥ１５５０とＵＴＲＡＮ１５００との間には前記ＵＥ１５５０が初めにパワーオンとされた後、ＲＲＣ連結セットアップ（以下、“ＲＲＣ　ＣＯＮＮＮＥＣＴＩＯＮ　ＳＥＴＵＰ”と称する）過程などを通じてＣＣＣＨ、ＤＣＣＨ及びＤＴＣＨなどが構成されている。ここで、前記ＣＣＣＨとＤＣＣＨはＲＲＣメッセージをやり取りする通路であり、ＤＴＣＨはＵＥ１５５０とＵＴＲＡＮ１５００との使用者データを送受信するチャンネルである。前記ＣＣＣＨは前記ＵＴＲＡＮ１５００とＵＥ１５５０との間に一つのみが構成されるが、ＤＣＣＨとＤＴＣＨは多数個で構成されうる。前記ＤＣＣＨ、ＤＴＣＨ及びＣＣＣＨを論理チャンネルと称する。前記論理チャンネルには一つ又は二つのＲＬＣ階層が構成されうる。ここでは、説明の便宜上、一つの論理チャンネルに一つのＲＬＣ階層が構成される場合を仮定する。送信側、すなわち、ＵＴＲＡＮ１５００のＲＬＣ階層１５２０−１〜１５２０−Ｎは前記ＲＬＣ階層１５２０−１〜１５２０−Ｎに連結されている上位階層、すなわち、ＲＲＣ階層１５１０−１〜１５１０−３とアプリケーション階層１５１０−Ｎから伝えられるデータを適宜のサイズにセグメントし、前記セグメントデータに一連番号のような付加情報を与える。
【００６６】
さらに、受信側、すなわち、ＵＥ１５５０のＲＬＣ階層１５６０−１〜１５６０−ＮはＭＡＣ階層１５７０から伝えられるデータの一連番号などを参照してセグメント伝送データを組立てて前記ＲＬＣ階層１５６０−１〜１５６０−Ｎに連結された上位階層、すなわち、ＲＲＣ階層１５９０−１〜１５９０−３とアプリケーション階層１５９０−Ｎへ伝える。一方、前記ＵＴＲＡＮ１５００のＭＡＣ階層１５３０は多重化情報を挿入する。前記ＭＡＣ階層１５３０の多重化情報挿入部１５３０−１はＤＴＣＨ又はＤＣＣＨを通じて伝えられるデータに該当論理チャンネルの識別子を挿入する。これとは異なり、前記ＣＣＣＨには多重化情報が挿入されない。したがって、ＵＥ１５５０のＭＡＣ階層１５７０の多重化情報判読部１５７０−１は前記ＵＴＲＡＮ１５００のＭＡＣ階層１５３０の多重化情報挿入部１５３０−１で挿入した論理チャンネル識別子を判読し、前記判読論理チャンネル識別子を用いて受信したデータを該当ＲＬＣ階層へ伝える。
【００６７】
さらに、前記ＵＴＲＡＮ１５００のＭＡＣ階層１５３０のＵＥ識別子挿入部１５３０−２は前記多重化情報挿入部１５３０−１から伝えられたデータに前記データを受信する受信側の識別子を挿入する。ここで、前記ＵＥ識別子挿入部１５３０−２は、上述した本発明の実施形態に応じて相違した識別子を受信側の識別子に挿入するが、第１実施形態ではＵＥ識別子、第２実施形態ではＲＮＣサービス識別子が挿入され、第３実施形態では前記ＲＲＣ階層で前記ＲＮＣサービス識別子が挿入される。上述したように本発明の第１実施形態及び第２実施形態では前記ＭＡＣ階層１５３０に位置している多重化情報挿入部１５３０−１で多重化情報が挿入されるが、本発明の第３実施形態では前記ＭＡＣ階層１５３０の前記多重化情報挿入部１５３０−１の動作が行われない。本発明の第３実施形態で前記ＭＡＣ階層１５３０の多重化情報挿入部１５３０−１の動作が行われない理由は前記ＣＣＣＨの場合、多重化情報が挿入されないからである。但し、本発明の第１実施形態、第２実施形態及び第３実施形態で前記ＭＡＣ階層１５３０の前記ＴＣＴＦ挿入部１５３０−３のＴＣＴＦの挿入動作は行われる。したがって、本発明の第１実施形態及び第２実施形態の受信側の場合、ＵＥ１５５０のＭＡＣ階層１５７０は前記挿入されたＲＮＣサービス識別子を判読することにより、ＭＢＭＳサービスを受信するＵＥを識別する。さらに、本発明の第３実施形態ではＵＥ１５５０のＲＲＣ階層１５９０−１〜１５９０−Ｎ−１は前記挿入されたＲＮＣサービス識別子を判読する。より詳しくは、ＵＥ１５５０のＭＡＣ階層１５７０のＵＥ識別子判読部１５７０−２は物理階層１５６０又はＴＣＴＦ判読部１５７０−３から伝えられたデータのＵＥ識別子が自分のＵＥ識別子と同じであるかを検査する。その検査結果、前記物理階層１５６０又はＴＣＴＦ判読部１５７０−３から伝えられたデータのＵＥ識別子とＵＥの自分の識別子が同じである場合、前記ＵＥ識別子判読部１５７０−２は前記データのＵＥ識別子を多重化情報判読部１５７０−３へ伝える。
【００６８】
さらに、前記ＵＴＲＡＮ１５００のＭＡＣ階層１５３０のＴＣＴＦ挿入部１５３０−３はＲＬＣ階層１５２０−１又はＵＥ識別子挿入部１５３０−２から伝えられるデータにＴＣＴＦを挿入する。ここで、ＣＣＣＨを通じて伝えられるデータは、上述したように前記多重化情報挿入部１５３０−１とＵＥ識別子挿入部１５３０−２を通らず、前記ＲＬＣ階層１５２０−１からＴＣＴＦ挿入部１５３０−３へ直接入力される。前記ＴＣＴＦ挿入部１５３０−３は前記ＣＣＣＨを通じて伝えられるデータには“０１００００００”のＴＣＴＦをコーディングする。一方、ＤＣＣＨ又はＤＴＣＨを通じて伝えられるデータは前記多重化情報挿入部１５３０−１とＵＥ識別子挿入部１５３０−２を通じて前記ＴＣＴＦ挿入部１５３０−３へ伝えられ、前記ＴＣＴＦ挿入部１５３０−３は前記ＤＣＣＨ又はＤＴＣＨを通じて伝えられるデータには“１１”のＴＣＴＦをコーディングする。ここで、ＵＥ１５５０のＭＡＣ階層１５７０のＴＣＴＦ判読部１５７０−３は物理階層１５６０からの受信データの最初の２ビットが０１である場合、残り６ビットを取り除き、すなわち“０１００００００”を取り除いた後、ＣＣＣＨと連結されたＲＬＣ階層１５９０−１へ伝える。さらに、前記ＴＣＴＦ判読部１５７０−３は受信データの最初の２ビットが１１である場合、１１を取り除いて前記ＵＥ識別子判読部１５７０−２へ伝える。
【００６９】
ここで、前記ＴＣＴＦ判読部１５７０−３、ＴＣＴＦ挿入部１５３０−３、ＵＥ識別子判読部１５７０−２及びＵＥ識別子挿入部１５３０−２は順方向の場合、ＦＡＣＨを通じて伝送され、受信される論理チャンネルのみに対して構成される。すなわち、任意のＤＴＣＨｘが専用物理チャンネル（ＤＰＣＨ：Ｄｅｄｉｃａｔｅｄ　Ｐｈｙｓｉｃａｌ　Ｃｈａｎｎｅｌ）を通じて伝送されると、前記論理チャンネルＤＴＣＨｘに対しては前記ＴＣＴＦ判読部１５７０−３、ＴＣＴＦ挿入部１５３０−３、ＵＥ識別子判読部１５７０−２及びＵＥ識別子挿入部１５３０−２は構成されない。さらに、ＲＬＣ階層で適宜のサイズにセグメントされて付加情報が挿入された後、ＭＡＣ階層で付加情報が挿入されて物理階層へ伝えられるデータをＴＢという。上位階層、例えば、ＲＲＣ階層から伝えられた５００ビットのデータがＲＬＣ階層で五つの１００ビットのデータにセグメントされた後、前記五つの１００ビットのデータの各々に１６ビットのＲＬＣ付加情報と８ビットのＭＡＣ付加情報が挿入されると、ＭＡＣ階層は物理階層へ五つの１２４ビットのデータを伝えるが、この１２４ビットのデータの各々がＴＢとなる。
【００７０】
ここで、本発明の第３実施形態を図１１に参照してより詳しく説明すると、次の通りである。
【００７１】
図１１を参照すれば、任意のＭＢＭＳサービスに対する共通情報を伝送しようとするＵＴＲＡＮ１５００は前記ＭＢＭＳサービスに対する共通情報を含むメッセージ、例えば、ＭＢＭＳ　ＲＡＤＩＯ　ＢＥＡＲＥＲ　ＳＥＴＵＰメッセージ又はＭＢＭＳ無線ベアラー解除（以下、“ＭＢＭＳ　ＲＡＤＩＯ　ＢＥＡＲＥＲ　ＲＥＬＥＡＳＥ”と称する）メッセージを構成する。この際、前記ＭＢＭＳ　ＲＡＤＩＯ　ＢＥＡＲＥＲ　ＳＥＴＵＰメッセージ又はＭＢＭＳ　ＲＡＤＩＯ　ＢＥＡＲＥＲ　ＲＥＬＥＡＳＥメッセージにはＵＥ識別子情報の代わりにＲＮＣサービス識別子情報を挿入する。前記ＭＢＭＳ　ＲＡＤＩＯ　ＢＥＡＲＥＲ　ＳＥＴＵＰメッセージ又はＭＢＭＳ　ＲＡＤＩＯ　ＢＥＡＲＥＲ　ＲＥＬＥＡＳＥメッセージはＲＬＣ階層１５２０−１へ伝えられ、前記ＲＬＣ階層１５２０−１は前記ＭＢＭＳ　ＲＡＤＩＯ　ＢＥＡＲＥＲ　ＳＥＴＵＰメッセージ又はＭＢＭＳ　ＲＡＤＩＯ　ＢＥＡＲＥＲ　ＲＥＬＥＡＳＥメッセージに含まれているデータを所定のサイズにセグメントした後、ＭＡＣ階層１５３０のＴＣＴＦ挿入部１５３０へ伝える。ここで、前記ＭＢＭＳ　ＲＡＤＩＯ　ＢＥＡＲＥＲ　ＳＥＴＵＰメッセージ又はＭＢＭＳ　ＲＡＤＩＯ　ＢＥＡＲＥＲ　ＲＥＬＥＡＳＥメッセージが前記ＲＬＣ階層１５２０−１へ伝えられる理由は、前記ＭＢＭＳ　ＲＡＤＩＯ　ＢＥＡＲＥＲ　ＳＥＴＵＰメッセージ又はＭＢＭＳ　ＲＡＤＩＯ　ＢＥＡＲＥＲ　ＲＥＬＥＡＳＥメッセージがＣＣＣＨを通じて伝えられるからである。さらに、前記ＭＢＭＳ　ＲＡＤＩＯ　ＢＥＡＲＥＲ　ＳＥＴＵＰメッセージ又はＭＢＭＳ　ＲＡＤＩＯ　ＢＥＡＲＥＲ　ＲＥＬＥＡＳＥメッセージはＣＣＣＨを通じて伝送されるため、前記メッセージは前記ＲＬＣ階層１５２０−１から前記ＭＡＣ階層１５３０の多重化情報挿入部１５３０−１及びＵＥ識別子挿入部１５３０−２の特定動作を行わず、前記セグメントデータを前記ＭＡＣ階層のＴＣＴＦ挿入部１５３０−３に出力する。
【００７２】
前記ＴＣＴＦ挿入部１５３０−３は前記ＲＬＣ階層１５２０−１からの出力データに“０１００００００”でコーディングされたＴＣＴＦを挿入した後、Ｃｅｌｌ＿ＦＡＣＨ状態にあるＵＥが位置するセルの物理階層１５４０へ伝える。前記ＴＣＴＦ挿入部１５３０−３の動作は本発明の第１実施形態、第２実施形態で動作する場合又は第３実施形態で動作する場合のいずれにも適用される。前記ＴＣＴＦ挿入部１５３０−３から出力されるデータがＴＢとなる。前記物理階層１５４０は前記ＴＣＴＦ挿入部１５３０−３からのＴＢをチャンネルコーディング、拡散及び変調などの一連の送信信号処理過程を行った後、ＦＡＣＨを通じて伝送する。ここで、Ｃｅｌｌ＿ＦＡＣＨ状態にあるＵＥ１５５０の物理階層１５６０は前記ＦＡＣＨを通じて伝えられるＴＢをＭＡＣ階層１５７０へ伝える。前記ＭＡＣ階層１５７０は前記物理階層１５６０からのＴＢをＴＣＴＦ判読部１５７０−３に出力し、前記ＴＣＴＦ判読部１５７０−３は前記ＴＢのＴＣＴＦを判読して“０１００００００”でコーディングされている場合、ＲＬＣ階層１５６０−１へ伝える。ここで、前記ＴＣＴＦ判読部１５７０−３が前記ＴＢのＴＣＴＦが“０１００００００”でコーディングされている場合、前記ＴＢをＲＬＣ階層１５６０−１へ伝える理由は、前記ＴＢがＣＣＣＨを通じて伝送されるからである。
【００７３】
前記ＲＬＣ階層１５６０−１は前記ＴＣＴＦ判読部１５７０−３からのＴＢの一連番号などの付加情報を用いてもとのメッセージ、すなわち、ＭＢＭＳ　ＲＡＤＩＯ　ＢＥＡＲＥＲ　ＳＥＴＵＰメッセージ又はＭＢＭＳ　ＲＡＤＩＯ　ＢＥＡＲＥＲ　ＲＥＬＥＡＳＥメッセージに組立てた後、該当ＲＲＣ階層１５９０−１へ伝える。前記ＲＲＣ階層１５９０−１は前記ＭＢＭＳ　ＲＡＤＩＯ　ＢＥＡＲＥＲ　ＳＥＴＵＰメッセージ又はＭＢＭＳ　ＲＡＤＩＯ　ＢＥＡＲＥＲ　ＲＥＬＥＡＳＥメッセージがＣＣＣＨを通じて伝送されるメッセージなので、前記ＭＢＭＳ　ＲＡＤＩＯ　ＢＥＡＲＥＲ　ＳＥＴＵＰメッセージ又はＭＢＭＳ　ＲＡＤＩＯ　ＢＥＡＲＥＲ　ＲＥＬＥＡＳＥメッセージに含まれているＲＮＣ識別子情報を検査する。すなわち、ＣＣＣＨを通じて伝送される場合、前記送信側のＲＲＣ階層で挿入されたＲＮＣサービス識別子を前記ＲＲＣ階層１５９０−１で判読する。本発明ではＵＥ識別子の代わりにＲＮＣサービス識別子が含まれるため、前記ＲＮＣサービス識別子が図３のステップ３０６で受信したＲＮＣサービス識別子と同じであるかを検査する。その結果、前記ＭＢＭＳ　ＲＡＤＩＯ　ＢＥＡＲＥＲ　ＳＥＴＵＰメッセージ又はＭＢＭＳ　ＲＡＤＩＯ　ＢＥＡＲＥＲ　ＲＥＬＥＡＳＥメッセージに含まれているＲＮＣサービス識別子がステップ３０６で受信したＲＮＣサービス識別子と同じである場合、前記ＭＢＭＳ　ＲＡＤＩＯ　ＢＥＡＲＥＲ　ＳＥＴＵＰメッセージ又はＭＢＭＳ　ＲＡＤＩＯ　ＢＥＡＲＥＲ　ＲＥＬＥＡＳＥメッセージに含まれている情報に基づいて必要動作を行う。ここで、前記必要動作はメッセージ種類に応じて異なる。例えば、前記受信したメッセージがＭＢＭＳ　ＲＡＤＩＯ　ＢＥＡＲＥＲ　ＳＥＴＵＰメッセージである場合、前記ＲＲＣ階層１５９０−１は前記ＭＢＭＳ　ＲＡＤＩＯ　ＢＥＡＲＥＲ　ＳＥＴＵＰメッセージに含まれているＭＢＭＳ無線チャンネル関連情報を用いて該当物理階層などを構成する。すなわち、前記ＲＲＣ階層１５９０−１は物理階層の逆拡散器をＭＢＭＳチャンネルに適用する拡散コードに適合するように構成し、復調器をＭＢＭＳチャンネルに適用する変調方式に適合するように構成し、チャンネルデコーダをＭＢＭＳチャンネルに使用するチャンネルコーディングパラメータに適合するように構成する。これとは異なり、前記受信メッセージがＭＢＭＳ　ＲＡＤＩＯ　ＢＥＡＲＥＲ　ＲＥＬＥＡＳＥメッセージである場合、ＲＲＣ階層１５９０−１は物理階層にＭＢＭＳチャンネルによる受信を中止することを命令する。
【００７４】
ここで、前記ＭＢＭＳ　ＲＡＤＩＯ　ＢＥＡＲＥＲ　ＳＥＴＵＰメッセージ又はＭＢＭＳ　ＲＡＤＩＯ　ＢＥＡＲＥＲ　ＲＥＬＥＡＳＥメッセージには次のような情報が含まれる。
（１）メッセージタイプ：該当メッセージの種類を示す情報であり、任意の整数値として予め決定されている。
（２）ＵＥ識別子情報：メッセージを受信するＵＥの識別子を示し、本発明の第３実施形態ではＵＥ識別子情報としてＲＮＣサービス識別子が使用され、１６ビット又は３２ビットのビットストリームからなる。
（３）その他の制御情報：メッセージタイプに応じて適宜の情報を備え、ＭＢＭＳ　ＲＡＤＩＯ　ＢＥＡＲＥＲ　ＳＥＴＵＰメッセージにはＭＢＭＳサービスによるチャンネル関連情報を含み、ＭＢＭＳ　ＲＡＤＩＯ　ＢＥＡＲＥＲ　ＲＥＬＥＡＳＥメッセージ情報にはＭＢＭＳサービスの中止時間情報などを含むことができる。
【００７５】
図１２を参照して本発明の第３実施形態を支援するＵＥ動作を説明する。
【００７６】
図１２は本発明の第３実施形態によるＵＥ動作過程を示したフローチャートである。説明の便宜上、ＭＢＭＳ　ＲＡＤＩＯ　ＢＥＡＲＥＲ　ＳＥＴＵＰメッセージの受信場合のみに対して説明し、本発明の第１実施形態及び第２実施形態と同じ過程に対しては図７と同じ参照符号を使用する。
【００７７】
まず、ステップ７０１でメニュー情報を受信したＵＥはステップ７０２へ進行する。ステップ７０２で前記ＵＥは特定のＭＢＭＳに対するサービス受信を望む場合はステップ７０３へ進行する。ステップ７０３で前記ＵＥは前記特定のＭＢＭＳサービス受信を要求するＭＢＭＳ　ＳＥＲＶＩＣＥ　ＲＥＱＵＥＳＴ　１メッセージを送信し、ステップ１２０４へ進行する。ここで、前記ＭＢＭＳ　ＳＥＲＶＩＣＥ　ＲＥＱＵＥＳＴ　１メッセージには前記サービス受信を望む特定のＭＢＭＳを示すＢＭ−ＳＣサービス識別子が含まれる。ステップ１２０４で前記ＵＥはその状態に応じて適宜なチャンネルを監視する。すなわち、Ｃｅｌｌ＿ＦＡＣＨ状態ではＦＡＣＨを、Ｃｅｌｌ＿ＤＣＨ状態ではＤＣＨを監視する。該当チャンネルを監視するとき、該当チャンネルを通じてＭＢＭＳ　ＳＥＲＶＩＣＥＲＥＳＰＯＮＳＥ　１メッセージが受信されると、前記ＵＥは、すなわち、前記ＵＥのＲＲＣ階層は前記ＭＢＭＳ　ＳＥＲＶＩＣＥ　ＲＥＳＰＯＮＳＥ　１メッセージに含まれているＲＮＣサービス識別子を貯蔵し、ステップ７０５へ進行する。ステップ７０５でＵＥはその状態に応じて適宜なチャンネルを監視し、ＲＮＣからＭＢＭＳ　ＳＥＲＶＩＣＥ　ＮＯＴＩＦＹ　１メッセージを受信し、前記受信したＭＢＭＳ　ＳＥＲＶＩＣＥ　ＮＯＴＩＦＹ　１メッセージに含まれているサービス識別子情報を検出し、ステップ７０６へ進行する。ステップ７０６で前記ＵＥは前記ＭＢＭＳ　ＳＥＲＶＩＣＥ　ＮＯＴＩＦＹ　１メッセージから検出されたサービス識別子情報を用いて該当ＭＢＭＳサービスを受信するかを再び確認する。その確認結果、該当ＭＢＭＳサービス受信を決定すると、前記ＵＥはステップ７０７へ進行する。ステップ７０７で前記ＵＥは前記ＲＮＣへＭＢＭＳ　ＳＥＲＶＩＣＥ　ＮＯＴＩＦＹ　ＲＥＳＰＯＮＳＥ　１メッセージを送信し、ステップ１２０８へ進行する。
【００７８】
ステップ１２０８で前記ＵＥはその状態に応じてチャンネルを監視し、前記ＲＮＣからＭＢＭＳ　ＲＡＤＩＯ　ＢＥＡＲＥＲ　ＳＥＴＵＰメッセージを受信し、ステップ１２０９へ進行する。ステップ１２０９で前記ＵＥ、すなわち、ＵＥのＭＡＣ階層は該当チャンネル、すなわち、ＦＡＣＨを通じて受信したＴＢのＴＣＴＦを検査してＴＣＴＦが“０１００００００”であるＴＢをＲＬＣ階層へ伝え、ＲＬＣ階層は前記ＭＡＣ階層から受信したＴＢを一つのメッセージとして構成した後、ＲＲＣ階層へ伝える。前記ＲＲＣ階層は前記ＲＬＣ階層からのメッセージのメッセージ種類情報を用いて前記メッセージがＭＢＭＳ無線ベアラーセットアップ情報を含むことを感知し、ステップ１２０９へ進行する。ステップ１２０９で前記ＵＥは前記ＭＢＭＳ　ＲＡＤＩＯ　ＢＥＡＲＥＲ　ＳＥＴＵＰメッセージがＣＣＣＨを通じて伝えられるので、前記ＭＢＭＳ　ＲＡＤＩＯ　ＢＥＡＲＥＲ　ＳＥＴＵＰメッセージに含まれているＵＥ識別子情報を検査する。その検査結果、前記ＵＥ識別子情報にＲＮＣサービス識別子がコーディングされていると、前記ＵＥのＲＲＣ階層は前記ＭＢＭＳ　ＲＡＤＩＯ　ＢＥＡＲＥＲ　ＳＥＴＵＰメッセージに含まれているＭＢＭＳチャンネル関連情報を用いて物理階層を構成し、ステップ１２１０へ進行する。一方、ステップ１２０９の検査結果、前記ＵＥ識別子情報にＲＮＣサービス識別子及び自分のＵＥ識別子のうち、いずれもコーディングされない場合、前記ＵＥのＲＲＣ階層は再び前記ＲＬＣ階層からデータの伝送を待機する。さらに、ステップ１２０９でＵＥ識別子情報にメッセージを受信したＵＥのＵＥ識別子がコーディングされていると、前記ＭＢＭＳ　ＲＡＤＩＯ　ＢＥＡＲＥＲ　ＳＥＴＵＰメッセージに含まれている情報を用いて適宜の動作を行う。このようにＵＥ識別子情報にＵＥ自分の識別子がコーディングされている場合は本発明の実施形態とは関連がないため、ここではその詳細な説明を省略する。
【００７９】
ステップ１２１１で前記ＵＥは前記ＭＢＭＳ　ＲＡＤＩＯ　ＢＥＡＲＥＲ　ＳＥＴＵＰメッセージに相応する動作実行の完了を示すＭＢＭＳ　ＲＡＤＩＯ　ＢＥＡＲＥＲ　ＳＥＴＵＰ　ＣＯＭＰＬＥＴＥＴメッセージを前記ＲＮＣへ送信し、ステップ１２１２へ進行する。ステップ１２１２で前記ＵＥは前記ＭＢＭＳ　ＲＡＤＩＯ　ＢＥＡＲＥＲ　ＳＥＴＵＰメッセージに含まれているサービス開始時間に該当ＭＢＭＳストリームの受信を開始する。
【００８０】
図１３を参照して本発明の第３実施形態における機能を行うためのＵＴＲＡＮ、すなわち、ＲＮＣの動作過程を説明する。
【００８１】
図１３は本発明の第３実施形態によるＵＴＲＡＮの動作過程を示したフローチャートである。説明の便宜上、本発明の第１実施形態及び第２実施形態と同じ過程に対しては図９と同じ参照符号を使用する。
【００８２】
まず、ステップ９０１でＲＮＣはＵＥからＭＢＭＳ　ＳＥＲＶＩＣＥ　ＲＥＱＵＥＳＴ　１メッセージを受信し、ステップ９０２へ進行する。ステップ９０２で前記ＲＮＣは前記ＭＢＭＳＳＥＲＶＩＣＥ　ＲＥＱＵＥＳＴ　１メッセージに含まれているＢＭ−ＳＣサービス識別子に該当するＲＮＣ　ＳＥＲＶＩＣＥ　ＣＯＮＴＥＸＴが既に存在するかを検査する。その検査結果、前記ＢＭ−ＳＣサービス識別子に該当するＲＮＣ　ＳＥＲＶＩＣＥ　ＣＯＮＴＥＸＴが存在しない場合、前記ＲＮＣはステップ９０３へ進行する。ステップ９０３で前記ＲＮＣは前記ＢＭ−ＳＣサービス識別子に該当する新たなＲＮＣ　ＳＥＲＶＩＣＥ　ＣＯＮＴＥＸＴを生成し、ステップ９０４へ進行する。ステップ９０２の検査結果、前記ＢＭ−ＳＣサービス識別子に該当するＲＮＣ　ＳＥＲＶＩＣＥ　ＣＯＮＴＥＸＴが既に存在する場合、前記ＲＮＣはステップ９０４へ進行する。ステップ９０４で前記ＲＮＣは前記ＲＮＣ　ＳＥＲＶＩＣＥ　ＣＯＮＴＥＸＴに前記ＭＢＭＳ　ＳＥＲＶＩＣＥ　ＲＥＱＵＥＳＴ　１メッセージを伝送したＵＥを示すＵＥ識別子と、前記ＵＥが位置しているセルを示すセル識別子とを追加して更新した後、ステップ９０５へ進行する。
【００８３】
ステップ９０５で前記ＲＮＣは前記ＳＧＳＮへ前記ＵＥ識別子を含むＭＢＭＳ　ＳＥＲＶＩＣＥ　ＲＥＱＵＥＳＴ　２メッセージを送信し、ステップ９０６へ進行する。前記ＳＧＳＮは前記ＭＢＭＳ　ＳＥＲＶＩＣＥ　ＲＥＱＵＥＳＴ　２メッセージを用いてＭＢＭＳサービスを受けようとするＵＥと前記ＵＥを管理するＲＮＣとを把握することができる。ステップ９０６で前記ＲＮＣは前記ＳＧＳＮから前記ＭＢＭＳ　ＳＥＲＶＩＣＥ　ＲＥＱＵＥＳＴ　２メッセージに相応するＭＢＭＳ　ＳＥＲＶＩＣＥ　ＲＥＳＰＯＮＳＥ　２メッセージを受信し、ステップ１４０７へ進行する。ステップ１４０７で前記ＲＮＣはＲＮＣサービス識別子を決定し、ＲＮＣ　ＳＥＲＶＩＣＥ　ＣＯＮＴＥＸＴに追加した後、ステップ９０８へ進行する。ここで、前記ＲＮＣサービス識別子は他のＭＢＭＳサービスに割当てられないＲＮＣサービス識別子のうち、一つとして選択されうる。さらに、ステップ９０２でＲＮＣ　ＳＥＲＶＩＣＥ　ＣＯＮＴＥＸＴが既に存在すると、ＲＮＣサービス識別子も既に割当てられているため、ＲＮＣサービス識別子を再び割当てる必要はない。
【００８４】
ステップ９０８で前記ＲＮＣはＲＮＣサービス識別子を含むＭＢＭＳ　ＳＥＲＶＩＣＥ　ＲＥＳＰＯＮＳＥ　１メッセージを前記ＵＥへ送信し、ステップ９０９へ進行する。ステップ９０９で前記ＲＮＣはＳＧＳＮからＭＢＭＳ　ＳＥＲＶＩＣＥ　ＮＯＴＩＦＹ　２メッセージを受信し、ステップ９１０へ進行する。ステップ９１０で前記ＲＮＣは該当ＲＮＣ　ＳＥＲＶＩＣＥ　ＣＯＮＴＥＸＴに登録されているＵＥにＭＢＭＳ　ＳＥＲＶＩＣＥ　ＮＯＴＩＦＹ　１メッセージを伝送し、ステップ９１１へ進行する。ステップ９１１で前記ＲＮＣは前記該当ＵＥから前記ＭＢＭＳ　ＳＥＲＶＩＣＥ　ＮＯＴＩＦＹ　１メッセージに相応するＭＢＭＳ　ＳＥＲＶＩＣＥ　ＮＯＴＩＦＹ　ＲＥＳＰＯＮＳＥ　１メッセージを受信し、ステップ９１２へ進行する。ステップ９１２で前記ＲＮＣは前記ＭＢＭＳ　ＳＥＲＶＩＣＥ　ＮＯＴＩＦＹ　ＲＥＳＰＯＮＳＥ　１メッセージを送信したＵＥの各々のＵＥ識別子と前記ＵＥの属するセルの識別子とをＲＮＣ　ＳＥＲＶＩＣＥ　ＣＯＮＴＥＸＴに更新し、ステップ９１３へ進行する。
【００８５】
ステップ９１３で前記ＲＮＣはＭＢＭＳ　ＳＥＲＶＩＣＥ　ＮＯＴＩＦＹ　ＲＥＳＰＯＮＳＥ　２メッセージを前記ＳＧＳＮへ伝送し、ステップ９１４へ進行する。ステップ９１４で前記ＲＮＣは前記ＳＧＳＮからＭＢＭＳ　ＲＡＤＩＯ　ＢＥＡＲＥＲ　ＡＳＳＩＧＮＭＥＮＴ　ＲＥＱＵＥＳＴメッセージを受信し、ステップ９１５へ進行する。ステップ９１５で前記ＲＮＣは前記ＭＢＭＳ　ＲＡＤＩＯＢＥＡＲＥＲ　ＡＳＳＩＧＮＭＥＮＴ　ＲＥＱＵＥＳＴメッセージの受信により前記ＭＢＭＳ　ＲＡＤＩＯ　ＢＥＡＲＥＲ　ＡＳＳＩＧＮＭＥＮＴ　ＲＥＱＵＥＳＴメッセージに含まれているＱｏＳ情報に基づいて無線チャンネル設定を準備する。すなわち、前記ＲＮＣは前記ＲＮＣ　ＳＥＲＶＩＣＥ　ＣＯＮＴＥＸＴに登録されているセルを管理するＮｏｄｅ　ＢへＭＢＭＳ　ＲＡＤＩＯ　ＬＩＮＫ　ＳＥＴＵＰ　ＲＥＱＵＥＳＴメッセージを伝送し、ステップ９１６へ進行する。ここで、前記ＭＢＭＳ　ＲＡＤＩＯ　ＬＩＮＫ　ＳＥＴＵＰ　ＲＥＱＵＥＳＴメッセージにはＭＢＭＳサービスを提供する、すなわち、ＭＢＭＳストリームが伝送される無線チャンネルに対する情報が含まれ、前記ＭＢＭＳ　ＲＡＤＩＯ　ＬＩＮＫ　ＳＥＴＵＰ　ＲＥＱＵＥＳＴメッセージを受信した該当Ｎｏｄｅ　Ｂは前記ＭＢＭＳ　ＲＡＤＩＯ　ＬＩＮＫ　ＳＥＴＵＰ　ＲＥＱＵＥＳＴメッセージに含まれている無線チャンネル関連情報を用いて送信部８１０又は物理階層１５４０を構成する。前記送信部８１０の構成が完了されると、前記該当Ｎｏｄｅ　Ｂは前記ＲＮＣへＭＢＭＳ　ＲＡＤＩＯ　ＬＩＮＫ　ＳＥＴＵＰ　ＲＥＳＰＯＮＳＥメッセージを伝送する。前記ＲＮＣはステップ９１６で前記Ｎｏｄｅ　Ｂが伝送したＭＢＭＳ　ＲＡＤＩＯ　ＬＩＮＫ　ＳＥＴＵＰ　ＲＥＳＰＯＮＳＥメッセージを受信し、ステップ１４１７及びステップ９１８へ進行する。ステップ１４１７で前記ＲＮＣは前記ＭＢＭＳ　ＲＡＤＩＯ　ＬＩＮＫ　ＳＥＴＵＰ　ＲＥＳＰＯＮＳＥメッセージを通じて送信部８１０又は物理階層１５４０の構成完了を通告するＮｏｄｅ　Ｂに属するＵＥへＦＡＣＨとＣＣＣＨを通じてＭＢＭＳ　ＲＡＤＩＯ　ＢＥＡＲＥＲ　ＳＥＴＵＰメッセージを伝送し、ステップ９１９へ進行する。ここで、前記ＵＥがＣｅｌｌ＿ＦＡＣＨ状態にある場合はステップ１４１７のようにＦＡＣＨとＣＣＣＨを通じて伝送され、すべてのＵＥに対して一つのみのメッセージが伝送される。上述したように、前記ＭＢＭＳ　ＲＡＤＩＯ　ＢＥＡＲＥＲ　ＳＥＴＵＰメッセージのＵＥ識別子情報フィールドにはＲＮＣサービス識別子がコーディングされ、前記ＭＢＭＳ　ＲＡＤＩＯ　ＢＥＡＲＥＲ　ＳＥＴＵＰメッセージはＲＬＣ階層１５２０−１とＴＣＴＦ挿入部１５３０−３を通じてＦＡＣＨとＣＣＣＨを通じて伝送される。一方、前記ＵＥが前記Ｃｅｌｌ＿ＦＡＣＨ状態でないＣｅｌｌ＿ＤＣＨ状態にある場合、前記ＲＮＣはステップ９１８へ進行してＤＣＨを通じて前記ＭＢＭＳ　ＲＡＤＩＯ　ＢＥＡＲＥＲ　ＳＥＴＵＰメッセージを伝送し、ステップ９１９へ進行する。
【００８６】
ステップ９１９で前記ＲＮＣは該当ＵＥからＭＢＭＳＲＡＤＩＯ　ＢＥＡＲＥＲ　ＳＥＴＵＰ　ＣＯＭＰＬＥＴＥメッセージを受信し、ステップ９２０へ進行する。ステップ９２０で前記ＲＮＣは前記ＭＢＭＳデータ伝送のための無線チャンネル構成完了を示すＭＢＭＳ　ＲＡＢ　ＡＳＳＩＧＮＭＥＮＴ　ＲＥＳＰＯＮＳＥメッセージを用いてＳＧＳＮに通告し、ステップ９２１へ進行する。ステップ９２１で前記ＲＮＣはＭＢＭＳストリームをＳＧＳＮから受信し、ステップ９２２で前記ＲＮＣは前記構成されている無線チャンネルを通じてＭＢＭＳデータ、すなわち、ＭＢＭＳストリームを伝送する。
【００８７】
【発明の効果】
上述したように、本発明は移動通信システムでＭＢＭＳサービスの提供時に同じＭＢＭＳサービスを要請したＵＥに該当する無線チャンネル構成情報を共通チャンネルを通じて伝送することにより、前記無線チャンネル構成情報送受信によるメッセージ送受信過程のロード（ｌｏａｄ）を取り除く。さらに、本発明はＭＢＭＳサービスの提供時に同じＭＢＭＳサービスを要請したＵＥに該当無線チャンネル構成情報を同じメッセージに識別子のみを相違にして伝送することにより、前記無線チャンネル構成情報送受信によるメッセージ送受信過程のロードを取り除くことができる。
【００８８】
本発明の詳細な説明では具体的な実施形態について説明したが、本発明の範囲を逸脱しない限り、各種の変形が可能なのは明らかである。したがって、本発明の範囲は前記実施形態に限るものでなく、特許請求の範囲のみならず、その範囲と均等なものにより定められるべきである。
【図面の簡単な説明】
【図１】移動通信システムでＭＢＭＳサービスを提供するためのネットワーク構造を概略的に示した図である。
【図２】移動通信システムでＭＢＭＳサービスを開始するための過程を示した信号流れ図である。
【図３】本発明の実施形態によるＭＢＭＳサービス提供過程を示した信号流れ図である。
【図４】本発明の第１実施形態によるＭＢＭＳサービスのための無線チャンネル構成情報伝送を概略的に示した図である。
【図５】本発明の第２実施形態によるＭＢＭＳサービスのための無線チャンネル構成情報伝送を概略的に示した図である。
【図６】本発明の実施形態における機能を行うためのＵＥ構造を示した図である。
【図７】図６のＵＥ動作過程を示したフローチャートである。
【図８】本発明の実施形態における機能を行うためのＵＴＲＡＮ構造を示した図である。
【図９】図８のＵＴＲＡＮ動作過程を示したフローチャートである。
【図１０】本発明の第３実施形態によるＣＣＣＨを通じたＭＢＭＳサービスのための無線チャンネル構成情報伝送を概略的に示した図である。
【図１１】本発明の実施形態における機能を行うＵＭＴＳ通信システムのプロトコル構造を概略的に示した図である。
【図１２】本発明の第３実施形態によるＵＥ動作過程を示したフローチャートである。
【図１３】本発明の第３実施形態によるＵＴＲＡＮの動作過程を示したフローチャートである。
【符号の説明】
４１０　ＲＮＣ
４２１，４２２，４２３，４３１，４３２　ＵＥ
４４０　ＵＥ識別子情報
４５０，４７０　その他の制御情報
４６０，４８０　ペイロード
５１０　ＲＮＣ
５２１，５２２，５２３，５３１，５３２　ＵＥ
５３０　セル
５４０　ＲＮＣ識別子情報
５５０，５７０　その他の制御情報
５６０，５８０　ペイロード
６００　アンテナ
６１０　受信部
６２０　ＵＥ識別子判読部
６３０　逆多重化器
６４０−１〜６４０−ｎ　無線資源制御（ＲＲＣ）階層
８００　アンテナ
８１０　送信部
８２０　ＵＥ識別子挿入部
８３０　多重化器
８４０−１，…，８４０−ｎ　上位階層
１０５０　ターゲットチャンネルタイプフィールド（ＴＣＴＦ）
１０６０　ペイロード
１５００　ＵＴＲＡＮ（送信側）
１５１０−１〜１５１０−３　ＲＲＣ階層
１５１０−Ｎ　アプリケーション階層
１５２０−１〜１５２０−Ｎ　ＲＬＣ階層
１５３０　ＭＡＣ階層
１５３０−１　多重化情報挿入部
１５３０−２　ＵＥ識別子挿入部
１５３０−３　ＴＣＴＦ挿入部
１５４０　物理階層
１５５０　ＵＥ（受信側）
１５６０−１〜１５６０−Ｎ　ＲＬＣ階層
１５７０　ＭＡＣ階層
１５７０−１　多重化情報判読部
１５７０−２　ＵＥ識別子判読部
１５７０−３　ＴＣＴＦ判読部
１５８０　物理階層
１５９０−１〜１５９０−Ｎ−１　ＲＲＣ階層
１５９０−Ｎ　アプリケーション階層
【図１】
2004040770.tif 000007
【図２】
2004040770.tif 000008
【図３】
2004040770.tif 000009
【図４】
2004040770.tif 000010
【図５】
2004040770.tif 000011
【図６】
2004040770.tif 000012
【図７】
2004040770.tif 000013
【図８】
2004040770.tif 000014
【図９】
2004040770.tif 000015
【図１０】
2004040770.tif 000016
【図１１】
2004040770.tif 000017
【図１２】
2004040770.tif 000018
【図１３】
2004040770.tif 000019
【外国語明細書】
2004040770.tif 000020
2004040770.tif 000021
2004040770.tif 000022
2004040770.tif 000023
2004040770.tif 000024
2004040770.tif 000025
2004040770.tif 000026
2004040770.tif 000027
2004040770.tif 000028
2004040770.tif 000029
2004040770.tif 000030
2004040770.tif 000031
2004040770.tif 000032
2004040770.tif 000033
2004040770.tif 000034
2004040770.tif 000035
2004040770.tif 000036
2004040770.tif 000037
2004040770.tif 000038
2004040770.tif 000039
2004040770.tif 000040
2004040770.tif 000041
2004040770.tif 000042
2004040770.tif 000043
2004040770.tif 000044
2004040770.tif 000045
2004040770.tif 000046
2004040770.tif 000047
2004040770.tif 000048
2004040770.tif 000049
2004040770.tif 000050
2004040770.tif 000051
2004040770.tif 000052
2004040770.tif 000053
2004040770.tif 000054
2004040770.tif 000055
2004040770.tif 000056
2004040770.tif 000057
2004040770.tif 000058
2004040770.tif 000059
2004040770.tif 000060
2004040770.tif 000061
2004040770.tif 000062
2004040770.tif 000063
2004040770.tif 000064
2004040770.tif 000065
2004040770.tif 000066
2004040770.tif 000067
2004040770.tif 000068